(57)【要約】  本願は、通信方法及び装置を開示する。方法は、端末デバイスによってネットワークデバイスからＰＵＣＣＨリソース構成指示情報を受信する段階を備え、ＰＵＣＣＨリソース構成指示情報は、以下のパラメータ：ダウンリンクチャネルリソースパラメータ、復調参照信号ポート関連パラメータ、及びトランスポートブロックパラメータのうちの１つ又は複数に関連付けられる。対応する装置がさらに開示される。本願の解決手段によれば、ＰＵＣＣＨリソース構成指示情報は、ダウンリンクチャネルリソース、復調参照信号ポート関連パラメータ、及びトランスポートブロックパラメータのうちの１つ又は複数のパラメータに関連付けられる。端末デバイスがＰＵＣＣＨリソースを使用してアップリンク制御情報を送信する場合、ＰＵＣＣＨリソースコンフリクトを回避でき、それにより伝送信頼性が確保される。
2021533616.tif 000002
【特許請求の範囲】
【請求項１】
ネットワークデバイスから物理的アップリンク制御チャネル（ＰＵＣＣＨ）リソース構成指示情報を受信する段階を備え、前記ＰＵＣＣＨリソース構成指示情報は、ＰＵＣＣＨ構成を示すのに使用され、前記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信方法。
【請求項２】
前記ネットワークデバイスからダウンリンク制御情報を受信する段階と、
前記ダウンリンク制御情報に対応するダウンリンクチャネルリソースパラメータ、前記ダウンリンク制御情報が示す物理ダウンリンク共有チャネルの復調参照信号ポート関連パラメータ、前記ダウンリンク制御情報によって有効化されるトランスポートブロックパラメータのうちの１つ又は複数のパラメータに基づいて、前記１つ又は複数のパラメータに関連付けられているＰＵＣＣＨ構成を決定する段階と、
をさらに備える、請求項１に記載の通信方法。
【請求項３】
前記ネットワークデバイスは１つ又は複数存在する、請求項１又は２に記載の通信方法。
【請求項４】
端末デバイスに物理的アップリンク制御チャネル（ＰＵＣＣＨ）リソース構成指示情報を送信する段階を備え、前記ＰＵＣＣＨリソース構成指示情報は、ＰＵＣＣＨ構成を示すのに使用され、前記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信方法。
【請求項５】
前記ダウンリンクチャネルリソースパラメータに基づいて、ダウンリンク制御情報を前記端末デバイスに送信する段階をさらに備える、請求項４に記載の通信方法。
【請求項６】
前記ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む、請求項１〜５のいずれか一項に記載の通信方法。
【請求項７】
前記ＰＵＣＣＨ構成は、１つ又は複数のＰＵＣＣＨリソース構成を含み、前記１つ又は複数のＰＵＣＣＨリソース構成は、前記１つ又は複数のパラメータにそれぞれ関連付けられる、請求項１〜６のいずれか一項に記載の通信方法。
【請求項８】
前記ＰＵＣＣＨ構成は、１つ又は複数のＰＵＣＣＨリソースグループを含み、各ＰＵＣＣＨリソースグループは、１つ又は複数のＰＵＣＣＨリソースを含み、前記１つ又は複数のＰＵＣＣＨリソースグループは、前記１つ又は複数のパラメータにそれぞれ関連付けられる、請求項１〜６のいずれか一項に記載の通信方法。
【請求項９】
前記ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、前記１つ又は複数のＰＵＣＣＨリソースセットに含まれている前記１つ又は複数のＰＵＣＣＨリソースグループは、前記１つ又は複数のパラメータにそれぞれ関連付けられる、請求項１〜６のいずれか一項に記載の通信方法。
【請求項１０】
前記ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、前記１つ又は複数のＰＵＣＣＨリソースセットグループは、前記１つ又は複数のパラメータにそれぞれ関連付けられる、請求項１〜６のいずれか一項に記載の通信方法。
【請求項１１】
ネットワークデバイスから物理的アップリンク制御チャネル（ＰＵＣＣＨ）リソース構成指示情報を受信するように構成されている送受信ユニットを備え、前記ＰＵＣＣＨリソース構成指示情報は、ＰＵＣＣＨ構成を示すのに使用され、前記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
【請求項１２】
前記送受信ユニットは、前記ネットワークデバイスからダウンリンク制御情報を受信するようにさらに構成され、
前記通信装置は、前記ダウンリンク制御情報に対応するダウンリンクチャネルリソースパラメータ、前記ダウンリンク制御情報が示す物理ダウンリンク共有チャネルの復調参照信号ポート関連パラメータ、及び前記ダウンリンク制御情報によって有効化されるトランスポートブロックパラメータのうちの１つ又は複数のパラメータに基づいて、前記１つ又は複数のパラメータに関連付けられているＰＵＣＣＨ構成を決定するように構成されている処理ユニットをさらに備える、請求項１１に記載の通信装置。
【請求項１３】
前記ネットワークデバイスは１つ又は複数存在する、請求項１１又は１２に記載の通信装置。
【請求項１４】
端末デバイスに物理的アップリンク制御チャネル（ＰＵＣＣＨ）リソース構成指示情報を送信するように構成されている送受信ユニットを備え、前記ＰＵＣＣＨリソース構成指示情報は、ＰＵＣＣＨ構成を示すのに使用され、前記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
【請求項１５】
前記送受信ユニットは、前記ダウンリンクチャネルリソースパラメータに基づいて、前記端末デバイスにダウンリンク制御情報を送信するようにさらに構成されている、請求項１４に記載の通信装置。
【請求項１６】
前記ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む、請求項１１〜１５のいずれか一項に記載の通信装置。
【請求項１７】
前記ＰＵＣＣＨ構成は、１つ又は複数のＰＵＣＣＨリソース構成を含み、前記１つ又は複数のＰＵＣＣＨリソース構成は、前記１つ又は複数のパラメータにそれぞれ関連付けられる、請求項１１〜１６のいずれか一項に記載の通信装置。
【請求項１８】
前記ＰＵＣＣＨ構成は、１つ又は複数のＰＵＣＣＨリソースグループを含み、各ＰＵＣＣＨリソースグループは、１つ又は複数のＰＵＣＣＨリソースを含み、前記１つ又は複数のＰＵＣＣＨリソースグループは、前記１つ又は複数のパラメータにそれぞれ関連付けられる、請求項１１〜１６のいずれか一項に記載の通信装置。
【請求項１９】
前記ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、前記１つ又は複数のＰＵＣＣＨリソースセットに含まれている前記１つ又は複数のＰＵＣＣＨリソースグループは、前記１つ又は複数のパラメータにそれぞれ関連付けられる、請求項１１〜１６のいずれか一項に記載の通信装置。
【請求項２０】
前記ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、前記１つ又は複数のＰＵＣＣＨリソースセットグループは、前記１つ又は複数のパラメータにそれぞれ関連付けられる、請求項１１〜１６のいずれか一項に記載の通信装置。
【請求項２１】
ネットワークデバイスから物理的アップリンク制御チャネル（ＰＵＣＣＨ）リソース構成指示情報を受信するように構成されている送受信器を備え、前記ＰＵＣＣＨリソース構成指示情報は、ＰＵＣＣＨ構成を示すのに使用され、前記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
【請求項２２】
前記送受信器は、前記ネットワークデバイスからダウンリンク制御情報を受信するようにさらに構成され、
前記通信装置は、前記ダウンリンク制御情報に対応するダウンリンクチャネルリソースパラメータ、前記ダウンリンク制御情報が示す物理ダウンリンク共有チャネルの復調参照信号ポート関連パラメータ、及び前記ダウンリンク制御情報によって有効化されるトランスポートブロックパラメータのうちの１つ又は複数のパラメータに基づいて、前記１つ又は複数のパラメータに関連付けられているＰＵＣＣＨ構成を決定するように構成されているプロセッサをさらに備える、請求項２１に記載の通信装置。
【請求項２３】
前記ネットワークデバイスは１つ又は複数存在する、請求項２１又は２２に記載の通信装置。
【請求項２４】
端末デバイスに物理的アップリンク制御チャネル（ＰＵＣＣＨ）リソース構成指示情報を送信するように構成されている送受信器を備え、前記ＰＵＣＣＨリソース構成指示情報は、ＰＵＣＣＨ構成を示すのに使用され、前記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
【請求項２５】
前記送受信器は、前記ダウンリンクチャネルリソースパラメータに基づいて、前記端末デバイスにダウンリンク制御情報を送信するようにさらに構成されている、請求項２４に記載の通信装置。
【請求項２６】
前記ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む、請求項２１〜２５のいずれか一項に記載の通信装置。
【請求項２７】
前記ＰＵＣＣＨ構成は、１つ又は複数のＰＵＣＣＨリソース構成を含み、前記１つ又は複数のＰＵＣＣＨリソース構成は、前記１つ又は複数のパラメータにそれぞれ関連付けられる、請求項２１〜２６のいずれか一項に記載の通信装置。
【請求項２８】
前記ＰＵＣＣＨ構成は、１つ又は複数のＰＵＣＣＨリソースグループを含み、各ＰＵＣＣＨリソースグループは、１つ又は複数のＰＵＣＣＨリソースを含み、前記１つ又は複数のＰＵＣＣＨリソースグループは、前記１つ又は複数のパラメータにそれぞれ関連付けられる、請求項２１〜２６のいずれか一項に記載の通信装置。
【請求項２９】
前記ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、前記１つ又は複数のＰＵＣＣＨリソースセットに含まれている前記１つ又は複数のＰＵＣＣＨリソースグループは、前記１つ又は複数のパラメータにそれぞれ関連付けられる、請求項２１〜２６のいずれか一項に記載の通信装置。
【請求項３０】
前記ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、前記１つ又は複数のＰＵＣＣＨリソースセットグループは、前記１つ又は複数のパラメータにそれぞれ関連付けられる、請求項２１〜２６のいずれか一項に記載の通信装置。
【請求項３１】
プロセッサを備える通信装置であって、前記プロセッサは、前記通信装置が請求項１〜１０のいずれか一項に記載の通信方法を実装するように、コンピュータプログラムを実行するように構成されている、通信装置。
【請求項３２】
プロセッサ及びメモリを備える通信装置であって、前記メモリは、コンピュータプログラム又は命令を記憶し、前記プロセッサが前記コンピュータプログラム又は前記命令を実行すると、前記通信装置は、請求項１〜１０のいずれか一項に記載の通信方法を実装するように有効化される、通信装置。
【請求項３３】
コンピュータプログラム又は命令を記憶するコンピュータ可読記憶媒体であって、前記コンピュータプログラム又は前記命令が実行されると、請求項１〜１０のいずれか一項に記載の通信方法が実装される、コンピュータ可読記憶媒体。
【請求項３４】
コンピュータに、請求項１〜１０のいずれか一項に記載の通信方法を実行させる、コンピュータプログラム。
【請求項３５】
請求項１〜１０のいずれか一項に記載の通信方法を実装するように構成されている、通信装置。
【発明の詳細な説明】
【技術分野】
【０００１】
本願は、２０１８年７月３１日付で中国国家知識産権局に出願された、「ＣＯＭＭＵＮＩＣＡＴＩＯＮＳ  ＭＥＴＨＯＤ  ＡＮＤ  ＡＰＰＡＲＡＴＵＳ」と題する中国特許出願第２０１８１０８５８３８９．１号に対する優先権を主張する。上記中国特許出願は、引用することによりその全体が本明細書に援用される。
【０００２】
本願は、通信技術の分野に関し、特に、通信方法及び装置に関する。
【背景技術】
【０００３】
モバイル通信の急速な開発により、セル端におけるユーザのパフォーマンスにより高い要求が課されている。多地点協調（ｃｏｏｒｄｉｎａｔｅ  ｍｕｌｔｉ−ｐｏｉｎｔ、ＣｏＭＰ）技術は、セル端におけるユーザのパフォーマンスの改善に明らかな効果を有する。ＣｏＭＰ技術を使用することによって多地点協調を実行することは、システムパフォーマンスを改善するのに効果的な方策である。非コヒーレント共同伝送（ｎｏｎ−ｃｏｈｅｒｅｎｔ  ｊｏｉｎｔ  ｔｒａｎｓｍｉｓｓｉｏｎ、ＮＣＪＴ）は、重要な多地点協調解決手段の１つである。ＮＣＪＴ解決手段では、マルチ送受信ポイント（ｍｕｌｔｉ−ｔｒａｎｓｍｉｔｔｉｎｇ  ａｎｄ  ｒｅｃｅｉｖｉｎｇ  ｐｏｉｎｔ、ｍｕｌｔｉ−ＴＲＰ）は、同じ端末デバイスに同時にサービス提供してよい。
【０００４】
マルチＴＲＰ協調時、新無線（ｎｅｗ  ｒａｄｉｏ、ＮＲ）通信システムでは、複数のマルチＴＲＰがダウンリンク制御情報（ｄｏｗｎｌｉｎｋ  ｃｏｎｔｒｏｌ  ｉｎｆｏｒｍａｔｉｏｎ、ＤＣＩ）を端末デバイスに同時に送信してよく、端末デバイスは、複数の異なる探索空間（ｓｅａｒｃｈ  ｓｐａｃｅ）における物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を示す複数のＤＣＩを検出してよい。
【０００５】
複数のマルチＴＲＰが非コヒーレント共同伝送を実行する場合、端末デバイスは、複数の物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を使用して、アップリンク制御情報（ｕｐｌｉｎｋ  ｃｏｎｔｒｏｌ  ｉｎｆｏｒｍａｔｉｏｎ、ＵＣＩ）を複数のマルチＴＲＰに送信してよい。非理想的バックホール（ｎｏｎ−ｉｄｅａｌ  ｂａｃｋｈａｕｌ）の事例では、複数のマルチＴＲＰは、リアルタイムにインタラクトすることができない。複数のマルチＴＲＰが、ＰＤＳＣＨを示す１つのＤＣＩをそれぞれ端末デバイスに同時に送信する場合、複数のマルチＴＲＰのそれぞれは、ＤＣＩ内のＰＵＣＣＨリソースインジケータ（ＰＵＣＣＨ  ｒｅｓｏｕｒｃｅ  ｉｎｄｉｃａｔｏｒ）フィールド（或いは別のパラメータと組み合せてよい）を使用して、対応するＰＵＣＣＨリソースを示すが、複数のマルチＴＲＰは、互いが示すＰＵＣＣＨリソースを知らない。ＡＣＫ／ＮＡＣＫを同時に報告するのに端末デバイスによって使用されるＰＵＣＣＨリソースが同じである場合、リソースコンフリクトが生じる。
【０００６】
したがって、ＰＵＣＣＨリソース間でコンフリクトが生じ得るという問題を解決する必要がある。
【発明の概要】
【０００７】
本願は、ＰＵＣＣＨリソース間でコンフリクトが生じ得るという問題を解決するために、通信方法及び装置を提供する。
【０００８】
第１の態様によれば、通信方法が提供される。方法は、ネットワークデバイスからＰＵＣＣＨリソース構成指示情報を受信する段階を備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる。
【０００９】
本態様において、ＰＵＣＣＨ構成は、ダウンリンクチャネルリソース、復調参照信号ポート関連パラメータ、及びトランスポートブロックパラメータのうちの１つ又は複数のパラメータに関連付けられる。端末デバイスがＰＵＣＣＨリソースを使用してアップリンク制御情報を送信する場合、ＰＵＣＣＨリソースコンフリクトを回避でき、それにより伝送信頼性が確保される。
【００１０】
第１の態様に関して、可能な一実装において、方法は、上記ネットワークデバイスからダウンリンク制御情報を受信する段階と、上記ダウンリンク制御情報に対応するダウンリンクチャネルリソースパラメータ、上記ダウンリンク制御情報が示す物理ダウンリンク共有チャネルの復調参照信号ポート関連パラメータ、上記ダウンリンク制御情報によって有効化されるトランスポートブロックパラメータのうちの１つ又は複数のパラメータに基づいて、上記１つ又は複数のパラメータに関連付けられているＰＵＣＣＨ構成を決定する段階と、をさらに備える。
【００１１】
本実装において、端末デバイスは、ダウンリンクチャネルリソースパラメータに基づいてダウンリンク制御情報ＤＣＩを受信、又は、ＤＣＩが示すＰＤＳＣＨの復調参照信号（ｄｅｍｏｄｕｌａｔｉｏｎ  ｒｅｆｅｒｅｎｃｅ  ｓｉｇｎａｌ、ＤＭＲＳ）ポート関連パラメータを決定、又は、ＤＣＩによって有効化されるトランスポートブロック（ｔｒａｎｓｍｉｓｓｉｏｎ  ｂｌｏｃｋ、ＴＢ）パラメータを決定してよい。ＰＵＣＣＨ構成は、ＤＣＩに対応する１つ又は複数のパラメータに関連付けられているＰＵＣＣＨ構成を決定できるように、ダウンリンクチャネルリソースパラメータ、ＤＭＲＳポート関連パラメータ、及びＴＢパラメータのうちの１つ又は複数のパラメータに関連付けられる。
【００１２】
第１の態様に関して、別の可能な実装において、ネットワークデバイスは１つ又は複数存在する。
【００１３】
本実装において、複数の関連付けられているＰＵＣＣＨ構成は、複数のネットワークデバイスから受信したＤＣＩに対応する前述の１つ又は複数のパラメータに基づいて決定されてよい。
【００１４】
第２の態様によれば、通信方法が提供される。方法は、物理的アップリンク制御チャネルＰＵＣＣＨリソース構成指示情報を端末デバイスに送信する段階を備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる。
【００１５】
第２の態様に関して、可能な一実装において、方法は、ダウンリンクチャネルリソースパラメータに基づいて端末デバイスにダウンリンク制御情報を送信する段階をさらに含む。
【００１６】
第１態様又は第２態様に関して、可能な一実装において、ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む。
【００１７】
本実装において、ＰＤＣＣＨリソース構成は、制御リソースセットグループ及び探索空間グループを含む。ＰＵＣＣＨ構成は、１つのＰＤＣＣＨリソース構成における制御リソースセットグループ及び探索空間グループに関連付けられてよく、又は、複数のＰＤＣＣＨリソース構成に関連付けられてよい。
【００１８】
第１態様又は第２態様に関して、別の可能な実装において、ＰＵＣＣＨ構成は、１つ又は複数のＰＵＣＣＨリソース構成を含み、１つ又は複数のＰＵＣＣＨリソース構成は、１つ又は複数のパラメータにそれぞれ関連付けられる。
【００１９】
本実装において、ＰＵＣＣＨ構成は、１つ又は複数のＰＵＣＣＨリソース構成を含み、関連付けられているＰＵＣＣＨリソース構成は、ＰＵＣＣＨリソースコンフリクトを回避できるように、前述の１つ又は複数のパラメータに基づいて決定されてよい。１つ又は複数のＰＵＣＣＨリソース構成のＰＵＣＣＨリソースは、共通部分を有しなくてよい。
【００２０】
第１態様又は第２態様に関して、また別の可能な実装において、ＰＵＣＣＨ構成は、１つ又は複数のＰＵＣＣＨリソースグループを含み、各ＰＵＣＣＨリソースグループは、１つ又は複数のＰＵＣＣＨリソースを含み、１つ又は複数のＰＵＣＣＨリソースグループは、１つ又は複数のパラメータにそれぞれ関連付けられる。
【００２１】
本実装において、複数のＰＵＣＣＨリソースはグループ化され、ＰＵＣＣＨリソースグループは、ＰＵＣＣＨリソースコンフリクトを回避できるように、前述の１つ又は複数のパラメータに関連付けられる。
【００２２】
第１態様又は第２態様に関して、また別の可能な実装において、ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、１つ又は複数のＰＵＣＣＨリソースセットに含まれている１つ又は複数のＰＵＣＣＨリソースグループは、１つ又は複数のパラメータにそれぞれ関連付けられる。
【００２３】
本実装において、ＰＵＣＣＨリソースセット内の複数のＰＵＣＣＨリソースは、グループ化され、ＰＵＣＣＨリソースセット内のＰＵＣＣＨリソースグループは、ＰＵＣＣＨリソースコンフリクトを回避できるように、前述の１つ又は複数のパラメータに関連付けられる。
【００２４】
第１態様又は第２態様に関して、また別の可能な実装において、ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、１つ又は複数のＰＵＣＣＨリソースセットグループは、１つ又は複数のパラメータにそれぞれ関連付けられる。
【００２５】
本実装において、ＰＵＣＣＨリソースセットは、グループ化され、ＰＵＣＣＨリソースセットグループは、ＰＵＣＣＨリソースコンフリクトを回避できるように、前述の１つ又は複数のパラメータに関連付けられる。
【００２６】
第３の態様によれば、通信方法が提供される。方法は、ネットワークデバイスから物理的アップリンク制御チャネルＰＵＣＣＨリソース構成指示情報を受信する段階を備え、上記ＰＵＣＣＨリソース構成指示情報は、ＰＵＣＣＨリソース構成を示すのに使用され、上記ＰＵＣＣＨリソース構成指示情報は、以下のパラメータ：ダウンリンクチャネルリソースパラメータ、復調参照信号ポート関連パラメータ、及びトランスポートブロックパラメータのうちの１つ又は複数に関連付けられる。
【００２７】
第３の態様に関して、可能な一実装において、方法は、上記ネットワークデバイスからダウンリンク制御情報を受信する段階と、上記ダウンリンク制御情報に対応するダウンリンクチャネルリソースパラメータ、上記ダウンリンク制御情報が示す物理ダウンリンク共有チャネルの復調参照信号ポート関連パラメータ、上記ダウンリンク制御情報によって有効化されるトランスポートブロックパラメータのうちの１つ又は複数のパラメータに基づいて、上記１つ又は複数のパラメータに関連付けられているＰＵＣＣＨリソース構成指示情報を決定する段階と、をさらに備える。
【００２８】
第３の態様に関して、別の可能な実装において、ネットワークデバイスは１つ又は複数存在する。
【００２９】
第４の態様によれば、通信方法が提供される。方法は、物理的アップリンク制御チャネルＰＵＣＣＨリソース構成指示情報を端末デバイスに送信する段階を備え、上記ＰＵＣＣＨリソース構成指示情報は、ＰＵＣＣＨリソース構成を示すのに使用され、上記ＰＵＣＣＨリソース構成指示情報は、以下のパラメータ：ダウンリンクチャネルリソースパラメータ、復調参照信号ポート関連パラメータ、及びトランスポートブロックパラメータのうちの１つ又は複数に関連付けられる。
【００３０】
第４の態様に関して、可能な一実装において、方法は、ダウンリンクチャネルリソースパラメータに基づいて端末デバイスにダウンリンク制御情報を送信する段階をさらに備える。
【００３１】
第３の態様又は第４の態様に関して、可能な一実装において、上記ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む。
【００３２】
第３の態様又は第４の態様に関して、別の可能な実装において、ＰＵＣＣＨリソース構成指示情報は、１つ又は複数のＰＵＣＣＨリソース構成を含み、１つ又は複数のＰＵＣＣＨリソース構成は、１つ又は複数のパラメータにそれぞれ関連付けられる。
【００３３】
第３の態様又は第４の態様に関して、また別の可能な実装において、ＰＵＣＣＨリソース構成指示情報は、１つ又は複数のＰＵＣＣＨリソースグループの指示情報を含み、各ＰＵＣＣＨリソースグループは、１つ又は複数のＰＵＣＣＨリソースを含み、１つ又は複数のＰＵＣＣＨリソースグループは、１つ又は複数のパラメータにそれぞれ関連付けられる。
【００３４】
第３の態様又は第４の態様に関して、また別の可能な実装において、ＰＵＣＣＨリソース構成指示情報は、１つ又は複数のＰＵＣＣＨリソースセットの指示情報を含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、１つ又は複数のＰＵＣＣＨリソースセットに含まれている１つ又は複数のＰＵＣＣＨリソースグループは、１つ又は複数のパラメータにそれぞれ関連付けられる。
【００３５】
第３の態様又は第４の態様に関して、また別の可能な実装において、ＰＵＣＣＨリソース構成指示情報は、１つ又は複数のＰＵＣＣＨリソースセットグループの指示情報を含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、１つ又は複数のＰＵＣＣＨリソースセットグループは、１つ又は複数のパラメータにそれぞれ関連付けられる。
【００３６】
第５の態様によれば、通信方法が提供される。方法は、複数のダウンリンク制御情報を受信する段階であって、複数のダウンリンク制御情報は、１つ又は複数のダウンリンクチャネルリソースパラメータ、復調参照信号ポート関連パラメータ、又はトランスポートブロックパラメータにそれぞれ対応する、段階と、基準に従って複数のダウンリンク制御情報のうちの１つを選択するとともに、選択されたダウンリンク制御情報に対応するダウンリンクチャネルリソースパラメータ、復調参照信号ポート関連パラメータ、又はトランスポートブロックパラメータに基づいて、ダウンリンクチャネルリソースパラメータ、復調参照信号ポート関連パラメータ、又はトランスポートブロックパラメータに関連付けられている物理アップリンク制御チャネルリソースを決定する段階と、物理アップリンク制御チャネルリソースを使用して複数のダウンリンクデータの組み合わせフィードバック情報を送信する段階とを備える。
【００３７】
第５の態様に関して、可能な一実装において、方法は、予め設定された組み合わせ規則に従って、複数のダウンリンク制御情報のフィードバック情報を組み合わせる段階をさらに備える。
【００３８】
第６の態様によれば、通信方法が提供される。方法は、第１のネットワークデバイスによって、端末デバイスにダウンリンク制御情報を送信する段階であって、ダウンリンク制御情報は、ダウンリンクチャネルリソースパラメータ、復調参照信号ポート関連パラメータ、又はトランスポートブロックに対応する、段階と、第１のネットワークデバイスによって、端末デバイスによって送信される複数のダウンリンクデータの組み合わせフィードバック情報を受信する段階と、第１のネットワークデバイスによって、別のネットワークデバイスによって送信されたダウンリンクデータのフィードバック情報を別のネットワークデバイスに通知する段階とを備える。
【００３９】
第７の態様によれば、通信方法が提供される。方法は、第１のネットワークデバイスから第１のダウンリンク制御情報を、第２のネットワークデバイスから第２のダウンリンク制御情報を受信する段階であって、第１のダウンリンク制御情報は、物理アップリンク制御チャネルリソースの指示情報を含む、段階と、第１のダウンリンク制御情報が示す物理アップリンク制御チャネルリソースを使用して第１のネットワークデバイスにダウンリンクデータの組み合わせフィードバック情報を送信する段階であって、ダウンリンクデータの組み合わせフィードバック情報は、第１のダウンリンクデータのフィードバック情報及び第２のダウンリンクデータのフィードバック情報を含む、段階とを備える。
【００４０】
第８の態様によれば、通信方法が提供される。方法は、第１のネットワークデバイスによって、端末デバイスに第１のダウンリンク制御情報を送信する段階であって、第１のダウンリンク制御情報は、物理アップリンク制御チャネルリソースの指示情報を含む、段階と、第１のネットワークデバイスによって、端末デバイスによって送信されるダウンリンクデータの組み合わせフィードバック情報を受信する段階であって、ダウンリンクデータの組み合わせフィードバック情報は、第１のダウンリンクデータのフィードバック情報及び第２のダウンリンクデータのフィードバック情報を含む、段階と、第１のネットワークデバイスによって、第２のダウンリンクデータのフィードバック情報を第２のネットワークデバイスに通知する段階とを備える。
【００４１】
第９の態様によれば、通信装置が提供される。通信装置は、第１の態様、第３の態様、第５の態様、又は第７の態様における前述の通信方法を実装することができる。例えば、通信装置は、チップ（ベースバンドチップ又は通信チップ等）又は端末デバイスとしてよい。前述した方法は、ソフトウェア、ハードウェア、又は対応するソフトウェアを実行するハードウェアを使用して実装されてよい。
【００４２】
可能な一実装において、プロセッサ及びメモリが通信装置の構造に含まれる。プロセッサは、前述の通信方法における対応する機能を実行する際に、装置をサポートするように構成されている。メモリは、プロセッサに結合されるように構成され、メモリは、装置に必要なプログラム（命令）及び／又はデータを記憶する。任意選択で、通信装置は、装置と別のネットワーク要素と間の通信をサポートするように構成されている通信インタフェースをさらに備えてよい。
【００４３】
別の可能な実装において、通信装置は、前述した方法における、対応する動作を実行するユニット又はモジュールを備えてよい。
【００４４】
また別の可能な実装において、プロセッサ及び送受信装置が含まれる。プロセッサは、送受信装置に結合される。プロセッサは、情報を送信又は受信するように送受信装置を制御するために、コンピュータプログラム又は命令を実行するように構成されている。プロセッサがコンピュータプログラム又は命令を実行すると、プロセッサは、前述した方法を実装するようにさらに構成されている。送受信装置は、送受信器、送受信回路、又は入力／出力インタフェースとしてよい。通信装置がチップである場合、送受信装置は、送受信回路又は入力／出力インタフェースである。
【００４５】
また別の可能な実装において、プロセッサが通信装置の構造に含まれる。プロセッサは、前述の通信方法における対応する機能を実行する際に装置をサポートするように構成されている。
【００４６】
通信装置がチップである場合、送受信ユニットは、入出力回路又は通信インタフェース等の入出力ユニットとしてよい。通信装置がネットワークデバイスである場合、送受信ユニットは、送信器及び受信器又は送信機及び受信機としてよい。
【００４７】
第１０の態様によれば、通信装置が提供される。通信装置は、第２の態様、第４の態様、第６の態様、又は第８の態様における前述の通信方法を実装することができる。例えば、通信装置は、チップ（ベースバンドチップ又は通信チップ等）又はネットワークデバイスとしてよい。前述した方法は、ソフトウェア、ハードウェア、又は対応するソフトウェアを実行するハードウェアを使用して実装されてよい。
【００４８】
可能な一実装において、プロセッサ及びメモリが通信装置の構造に含まれる。プロセッサは、前述の通信方法における対応する機能を実行する際に、装置をサポートするように構成されている。メモリは、プロセッサに結合されるように構成され、メモリは、装置に必要なプログラム（命令）及びデータを記憶する。任意選択で、通信装置は、装置と別のネットワーク要素と間の通信をサポートするように構成されている通信インタフェースをさらに備えてよい。
【００４９】
別の可能な実装において、通信装置は、前述した方法における、対応する動作を実行するユニット又はモジュールを備えてよい。
【００５０】
また別の可能な実装において、プロセッサ及び送受信装置が含まれる。プロセッサは、送受信装置に結合される。プロセッサは、情報を送信又は受信するように送受信装置を制御するために、コンピュータプログラム又は命令を実行するように構成されている。プロセッサがコンピュータプログラム又は命令を実行すると、プロセッサは、前述した方法を実装するようにさらに構成されている。送受信装置は、送受信器、送受信回路、又は入力／出力インタフェースとしてよい。通信装置がチップである場合、送受信装置は、送受信回路又は入力／出力インタフェースである。
【００５１】
また別の可能な実装において、プロセッサが通信装置の構造に含まれる。プロセッサは、前述の通信方法における対応する機能を実行する際に装置をサポートするように構成されている。
【００５２】
通信装置がチップである場合、送受信ユニットは、入出力回路又は通信インタフェース等の入出力ユニットとしてよい。通信装置がネットワークデバイスである場合、送受信ユニットは、送信器及び受信器又は送信機及び受信機としてよい。
【００５３】
第１１の態様によれば、コンピュータ可読記憶媒体が提供される。コンピュータ可読記憶媒体は、コンピュータプログラム又は命令を記憶し、コンピュータプログラム又は命令が実行されると、前述の態様のいずれか１つに係る方法が実装される。
【００５４】
第１２の態様によれば、命令を含むコンピュータプログラム製品が提供される。命令がコンピュータ上で実行されると、コンピュータは、前述の態様のいずれか１つに係る方法を実行するように有効化される。
【００５５】
第１３の態様によれば、通信システムが提供される。通信システムは、第９の態様及び第１０の態様における通信装置を備える。
【図面の簡単な説明】
【００５６】
本発明の実施形態における又はその背景における技術的解決手段をより明確に説明するために、以下で、本発明の実施形態又はその背景において使用する必要のある添付の図面を説明する。
【００５７】
【図１】本願に係る通信システムの概略図である。
【００５８】
【図２】本願の一実施形態に係る通信方法の概略フローチャートである。
【００５９】
【図３ａ】本願の一実施形態に係る複数のＰＵＣＣＨリソースの構成例の概略図である。
【図３ｂ】本願の一実施形態に係る複数のＰＵＣＣＨリソースの構成例の概略図である。
【図３ｃ】本願の一実施形態に係る複数のＰＵＣＣＨリソースの構成例の概略図である。
【図３ｄ】本願の一実施形態に係る複数のＰＵＣＣＨリソースの構成例の概略図である。本願の一実施形態に係る複数のＰＵＣＣＨリソースの構成例の概略図である。
【００６０】
【図４】本願の一実施形態に係る別の通信方法の概略フローチャートである。
【００６１】
【図５】本出願の一実施形態に係るまた別の通信方法の概略フローチャートである。
【００６２】
【図６】本願の一実施形態に係る通信装置の概略構造図である。
【００６３】
【図７】本願の一実施形態に係る通信装置の概略構造図である。
【００６４】
【図８】本願の一実施形態に係る通信装置の概略構造図である。
【００６５】
【図９】本願の一実施形態に係る通信装置の概略構造図である。
【００６６】
【図１０】本願の一実施形態に係る通信装置の概略構造図である。
【００６７】
【図１１】本願の一実施形態に係る通信装置の概略構造図である。
【００６８】
【図１２】本願の一実施形態に係る通信装置の概略構造図である。
【００６９】
【図１３】本願の一実施形態に係る通信装置の概略構造図である。
【発明を実施するための形態】
【００７０】
以下に、本発明の実施形態の添付図面を参照して、本発明の実施形態について説明する。
【００７１】
図１は、本願に係る通信システムの概略図である。通信システムは、少なくとも１つのネットワークデバイス１００（１つのみ示している）と、ネットワークデバイス１００に接続された１つ又は複数の端末デバイス２００とを備えてよい。
【００７２】
ネットワークデバイス１００は、端末デバイス２００と通信することができるデバイスとしてよい。ネットワークデバイス１００は、無線送受信器機能を有する任意のデバイスとしてよく、限定されないが、ノードＢ  ＮｏｄｅＢ、発展型ノードＢ  ｅＮｏｄｅＢ、第５世代（ｔｈｅ  ｆｉｆｔｈ  ｇｅｎｅｒａｔｉｏｎ、５Ｇ）通信システムにおける基地局、将来の通信システムにおける基地局又はネットワークデバイス、Ｗｉ−Ｆｉ（登録商標）システムにおけるアクセスノード、無線リレーノード、無線バックホールノード等を含む。或いは代替的に、ネットワークデバイス１００は、クラウド型無線アクセスネットワーク（ｃｌｏｕｄ  ｒａｄｉｏ  ａｃｃｅｓｓ  ｎｅｔｗｏｒｋ、ＣＲＡＮ）シナリオにおける無線コントローラとしてもよい。代替的に、ネットワークデバイス１００は、スモールセル、ＴＲＰ等としてもよい。ネットワークデバイスによって使用される具体的な技術及び具体的なデバイス形態は、本願の実施形態では限定されない。
【００７３】
端末デバイス２００は、無線送受信器機能を有するデバイスであり、陸上に、屋内に、若しくは屋外に配備してよく、ハンドヘルド、ウェアラブル、若しくは車載型であってよく、又は、水面、例えば、船上に配備されてよく、又は、空中、例えば、航空機、気球、及び衛星に配備されてよい。端末デバイスは、携帯電話（ｍｏｂｉｌｅ  ｐｈｏｎｅ）、パッド（ｐａｄ）、無線送受信器機能を有するコンピュータ、仮想現実（ｖｉｒｔｕａｌ  ｒｅａｌｉｔｙ、ＶＲ）端末デバイス、拡張現実（ａｕｇｍｅｎｔｅｄ  ｒｅａｌｉｔｙ、ＡＲ）端末デバイス、産業用制御（ｉｎｄｕｓｔｒｉａｌ  ｃｏｎｔｒｏｌ）における無線端末、自動運転（ｓｅｌｆ−ｄｒｉｖｉｎｇ）における無線端末、遠隔医療（ｒｅｍｏｔｅ  ｍｅｄｉｃａｌ）における無線端末、スマートグリッド（ｓｍａｒｔ  ｇｒｉｄ）における無線端末、交通安全（ｔｒａｎｓｐｏｒｔａｔｉｏｎ  ｓａｆｅｔｙ）における無線端末、スマートシティ（ｓｍａｒｔ  ｃｉｔｙ）における無線端末、スマートホーム（ｓｍａｒｔ  ｈｏｍｅ）における無線端末等としてよい。適用シナリオは、本願の実施形態では限定されない。端末デバイスは、ユーザ機器（ｕｓｅｒ  ｅｑｕｉｐｍｅｎｔ、ＵＥ）、アクセス端末デバイス、ＵＥユニット、モバイルステーション、モバイルコンソール、遠隔ステーション、遠隔端末デバイス、モバイルデバイス、端末（ｔｅｒｍｉｎａｌ）、無線通信デバイス、ＵＥエージェント、ＵＥ装置等と称される場合があり得る。
【００７４】
本願の実施形態における「システム」及び「ネットワーク」という用語は、区別なく使用され得ることに留意されたい。「複数の」は、２つ又は２つより多いことを意味する。これに鑑み、「複数の」は、本願の実施形態において「少なくとも２つ」とも理解され得る。「及び／又は」という用語は、関連付けられる対象物間の対応関係を説明するものであり、３つの関係が存在し得ることを表す。例えば、Ａ及び／又はＢは、Ａのみが存在する、Ａ及びＢの両方が存在する、及び、Ｂのみが存在するという３つの場合を表し得る。加えて、別途指定されない限り、「／」という記号は、関連付けられる対象物間の「又は」の関係を一般に示す。
【００７５】
本願の実施形態は、ＰＵＣＣＨリソース構成指示情報が、ダウンリンクチャネルリソースパラメータ、復調参照信号ポート関連パラメータ、及びトランスポートブロックパラメータのうちの１つ又は複数のパラメータに関連付けられ、端末デバイスがＰＵＣＣＨリソースを使用してアップリンク制御情報を送信する場合にＰＵＣＣＨリソースコンフリクトを回避でき、それにより伝送信頼性を確保する、通信方法及び装置を提供する。
【００７６】
図２は、本願の一実施形態に係る通信方法の概略フローチャートである。
【００７７】
Ｓ１０１．ネットワークデバイスが、端末デバイスにＰＵＣＣＨリソース構成指示情報を送信する。端末デバイスは、ネットワークデバイスからＰＵＣＣＨリソース構成指示情報を受信する。ＰＵＣＣＨリソース構成指示情報は、ＰＵＣＣＨ構成を示すのに使用される。
【００７８】
本実施形態において、ネットワークデバイスは、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を使用してＤＣＩを送信し、ＰＤＳＣＨを使用してデータを送信する。ＤＣＩは、ＰＤＳＣＨを示すのに使用される。具体的には、ＤＣＩは、ＰＤＳＣＨが占有する時間ドメインリソースの長さ、ＰＤＳＣＨの周波数ドメインリソース、ＰＤＳＣＨの変調スキーム等を示す指示情報を保持する。端末デバイスは、受信したＤＣＩに基づいて、ＰＤＳＣＨが受信されることになるリソースを決定してよい。端末デバイスは、ＰＵＣＣＨを使用してＵＣＩを送信する。ＵＣＩは、ＰＤＳＣＨのハイブリッド自動再送要求（ｈｙｂｒｉｄ  ａｕｔｏｍａｔｉｃ  ｒｅｐｅａｔ  ｒｅｑｕｅｓｔ、ＨＡＲＱ）の肯定応答（ａｃｋｎｏｗｌｅｄｇｍｅｎｔ、ＡＣＫ）／否定応答（ｎｏｎ−ａｃｋｎｏｗｌｅｄｇｍｅｎｔ、ＮＡＣＫ）を含んでよく、他のアップリンク制御情報、例えば、チャネル状態情報（ｃｈａｎｎｅｌ  ｓｔａｔｅ  ｉｎｆｏｒｍａｔｉｏｎ、ＣＳＩ）及びスケジュール要求（ｓｃｈｅｄｕｌｉｎｇ  ｒｅｑｕｅｓｔ、ＳＲ）をさらに含んでよい。
【００７９】
端末デバイスは、１つ又は複数のダウンリンクチャネルリソースパラメータに基づいてＤＣＩを検出、又は、複数の受信したＤＣＩが示すＰＤＳＣＨの復調参照信号（ｄｅｍｏｄｕｌａｔｉｏｎ  ｒｅｆｅｒｅｎｃｅ  ｓｉｇｎａｌ、ＤＭＲＳ）ポート関連パラメータを決定、又は、ＤＣＩによって有効化されるトランスポートブロック（ｔｒａｎｓｍｉｓｓｉｏｎ  ｂｌｏｃｋ、ＴＢ）パラメータを決定してよい。したがって、端末デバイスは、受信したＤＣＩに基づいて、ダウンリンクチャネルリソース、ＤＭＲＳポート関連パラメータ、又はＤＣＩに対応するＴＢパラメータを区別することができる。端末デバイスがＰＵＣＣＨを使用してＵＣＩを送信する場合、ネットワークデバイスによって構成されるＰＵＣＣＨリソース間のコンフリクトを回避するために、本実施形態において、ＰＵＣＣＨ構成は、ダウンリンクチャネルリソース、ＤＭＲＳポート関連パラメータ、又はＴＢパラメータに関連付けられる。ネットワークデバイスは、上位層シグナリングを使用して、端末デバイスにＰＵＣＣＨリソース構成指示情報を送信する。ＰＵＣＣＨリソース構成指示情報は、ＰＵＣＣＨ構成を示すのに使用される。上位層シグナリングは、ＲＲＣシグナリング、ＭＡＣ−ＣＥ等としてよい。端末デバイスは、ＰＵＣＣＨリソース構成指示情報を受信する。
【００８０】
具体的には、本実施形態において、ダウンリンクチャネルリソースパラメータが構成される。ダウンリンクチャネルリソースパラメータは、以下のリソースパラメータ：物理ダウンリンク制御チャネルリソース構成（ｐｈｙｓｉｃａｌ  ｄｏｗｎｌｉｎｋ  ｃｏｎｔｒｏｌ  ｃｈａｎｎｅｌ  ｃｏｎｆｉｇ、ＰＤＣＣＨ−ｃｏｎｆｉｇ）、制御リソースセットグループ（ｃｏｎｔｒｏｌ  ｒｅｓｏｕｒｃｅ  ｓｅｔ  ｇｒｏｕｐ、ＣＯＲＥＳＥＴ  ｇｒｏｕｐ）、探索空間グループ（ｓｅａｒｃｈ  ｓｐａｃｅ  ｇｒｏｕｐ）、及び物理ダウンリンク共有チャネルリソース構成（ＰＤＳＣＨ−ｃｏｎｆｉｇ）のうちの１つ又は複数を含む。１つのＣＯＲＥＳＥＴグループは、１つ又は複数のＣＯＲＥＳＥＴを含む。ＣＯＲＥＳＥＴは、制御リソースセット、すなわち、ＣＯＲＥＳＥＴの時間−周波数リソースと称されてよく、具体的には、周波数ドメインにおいて占有されたリソースブロックの大きさ、又は、時間ドメインにおいて占有されたシンボルの量とされてよく、代替的に、制御リソースセット構成パラメータ、すなわち、シグナリング構成関連パラメータと称されてよく、ＣＯＲＥＳＥＴ時間−周波数リソースを取得するのに使用される。１つの探索空間グループは、１つ又は複数の探索空間を含む。探索空間は、探索空間構成パラメータ、すなわち、シグナリング構成関連パラメータと称されてよく、候補ＰＤＣＣＨ又は可能なＰＤＣＣＨを探索する時間及び方式を取得するのに使用される。探索空間は、候補ＰＤＣＣＨを検出するロケーション又は検出される必要があるロケーションと称されてもよい。
【００８１】
本願におけるダウンリンクチャネルリソースパラメータは、１つ若しくは複数のＰＤＣＣＨコンフィグを含んでよく、各ＰＤＣＣＨコンフィグは、１つ若しくは複数のＣＯＲＥＳＥＴ及び／若しくは１つ若しくは複数の探索空間を含んでよく、又は、各ＰＤＣＣＨコンフィグは、ＣＯＲＥＳＥＴの指数及び／若しくは探索空間の指数を含んでよい。ＰＤＣＣＨコンフィグに含まれているパラメータは、候補ＰＤＣＣＨを検出するのに使用することができる。
【００８２】
本願におけるダウンリンクチャネルリソースパラメータは、代替的に、１つ若しくは複数のＣＯＲＥＳＥＴグループを含んでよく、又は、本願におけるダウンリンクチャネルリソースパラメータは、代替的に、１つ若しくは複数の探索空間グループを含んでよい。
【００８３】
したがって、端末デバイスは、１つ若しくは複数のＣＯＲＥＳＥＴグループ若しくは探索空間グループに基づいてＤＣＩを検出してよく、又は、１つ若しくは複数のＰＤＣＣＨコンフィグに基づいてＤＣＩを検出してよい。端末デバイスは、複数の構成済みダウンリンクチャネルリソースに基づいて、異なるネットワークデバイスから複数のＤＣＩを検出してよい。ネットワークデバイスは、ダウンリンクチャネルを使用して端末デバイスにＤＣＩを送信する。
【００８４】
複数のマルチＴＲＰの場合、複数のマルチＴＲＰは、１つの端末デバイスに複数のＤＣＩを送信してよい。ＤＣＩを検出する具体的な実装解決手段は、以下のうちの１つ又は複数を含んでよい。
【００８５】
（１）ネットワーク側は、端末デバイスのための複数のＰＤＣＣＨコンフィグを構成し、端末デバイスは、各ＰＤＣＣＨコンフィグが示すリソース（ＣＯＲＥＳＥＴ及び／又は探索空間）のための１つのＤＣＩをブラインド検出する。
【００８６】
（２）ネットワーク側は、端末デバイスのための１つ又は複数のＣＯＲＥＳＥＴグループを構成し、端末デバイスは、各ＣＯＲＥＳＥＴグループにおいて示されるリソースのための１つのＤＣＩをブラインド検出する。
【００８７】
ＣＯＲＥＳＥＴグループは、２つの方式で示されてよい：（ａ）各ＣＯＲＥＳＥＴグループのパラメータが制御リソースセットグループ識別子（ＣＯＲＥＳＥＴグループＩＤ）を含む。（ｂ）ＣＯＲＥＳＥＴグループＩＤは、ＰＤＣＣＨコンフィグにおいて示される。もちろん、ＣＯＲＥＳＥＴグループの指示方式は、前述の２つの方式に限定されない。
【００８８】
（３）ネットワーク側は、端末デバイスのための１つ又は複数の探索空間グループを構成し、端末デバイスは、各探索空間グループにおいて示されるリソースのための１つのＤＣＩをブラインド検出する。
【００８９】
本願は、シングルＴＲＰ（ｓｉｎｇｌｅ−ＴＲＰ）及びマルチＴＲＰのシナリオをサポートする。マルチＴＲＰシナリオは、一例として使用される。複数のマルチＴＲＰは、複数のダウンリンクチャネルリソース（ＰＤＣＣＨコンフィグ、ＣＯＲＥＳＥＴグループ、及び探索空間グループ）に基づいてＤＣＩを送信し、端末デバイスは、複数のダウンリンクチャネルリソースに基づいて複数のＤＣＩを検出してよい。具体的な方法は、前述の解決手段（１）〜（３）のいずれか１つとしてよい。本願では、前述の解決手段のうちの１つが、ダウンリンクチャネルリソースパラメータを構成するのに使用されていることが想定される。
【００９０】
ＤＣＩの検出されたダウンリンクチャネルリソースパラメータに基づいて、ＰＵＣＣＨリソースコンフリクトを回避できるように、ダウンリンクチャネルリソースパラメータに関連付けられているＰＵＣＣＨ構成を決定してよい。
【００９１】
加えて、ＤＣＩは、ＰＤＳＣＨのＤＭＲＳポート関連パラメータを示すのにさらに使用されてよい。ＤＭＲＳポート関連パラメータは、以下のパラメータ：ＤＭＲＳポート（ＤＭＲＳ  ｐｏｒｔ）数、ＤＭＲＳポートグループ（ＤＭＲＳ  ｐｏｒｔ  ｇｒｏｕｐ）数等のうちの１つ又は複数を含む。１つのＤＭＲＳポートグループは、複数のＤＭＲＳポートを含む。２つのＤＭＲＳポートグループが、無線リソース制御（ｒａｄｉｏ  ｒｅｓｏｕｒｃｅ  ｃｏｎｔｒｏｌ、ＲＲＣ）シグナリングを使用して構成され、各グループは、複数のＤＭＲＳポートを含み、同じグループ内のＤＭＲＳポートは、疑似コロケート（ｑｕａｓｉ−ｃｏ  ｌｏｃａｔｉｏｎ、ＱＣＬ）されることが想定される。ＤＭＲＳポート関連パラメータに関連付けられているＰＵＣＣＨ構成は、ＰＵＣＣＨリソースコンフリクトを回避できるように、ＤＣＩが示すＤＭＲＳポート関連パラメータに基づいて決定される。例えば、マルチＴＲＰシナリオでは、２つのＤＭＲＳポートグループのうちのそれぞれは、１つのＴＲＰに対応し、２つのＤＭＲＳのポート又はポートグループを通して受信される２つのＤＣＩは、異なるＴＲＰからのものであるとみなされてよい。
【００９２】
ＤＣＩは、ＴＢ関連パラメータを示すのにさらに使用される。ＴＢ関連パラメータは、変調次数及びビットレートを構成するのに使用される変調符号化スキーム（Ｍｏｄｕｌａｔｉｏｎ  ａｎｄ  ｃｏｄｉｎｇ  ｓｃｈｅｍｅ、ＭＣＳ）パラメータ、新たな伝送又は再送を示すのに使用される新規データインジケータ（Ｎｅｗ  ｄａｔａ  ｉｎｄｉｃａｔｏｒ、ＮＤＩ）パラメータ、現在の伝送を示すのに使用される冗長バージョン（Ｒｅｄｕｎｄａｎｃｙ  ｖｅｒｓｉｏｎ、ＲＶ）パラメータ等としてよい。ＴＢ関連パラメータは、ＴＢが有効化されているか否かを示すのに使用されてよい。ＰＵＣＣＨ構成は、ＰＵＣＣＨリソースコンフリクトを回避できるように、ＴＢパラメータ又はＴＢに対応する識別子に関連付けられる。例えば、ＴＲＰ１によって送信されたＤＣＩがＴＢ１を有効化し、ＴＲＰ２によって送信されたＤＣＩがＴＢ２を有効化する場合、ＴＲＰ１のＰＵＣＣＨリソース構成は、ＴＢ１に関連付けられてよく、ＴＲＰ２のＰＵＣＣＨリソース構成は、ＴＢ２に関連付けられてよい。
【００９３】
ＰＵＣＣＨ構成を前述のパラメータに関連付ける具体的方式は、以下の方式のうちの１つ又は複数としてよい：各ＰＤＣＣＨコンフィグは、１つのフィールドに関連付けられているＰＵＣＣＨ構成を示す当該フィールドを含む。ＲＲＣシグナリングは、各ＰＵＣＣＨ構成に対応するＰＤＣＣＨコンフィグＩＤを示す。ＲＲＣシグナリングは、１つ又は複数のＣＯＲＥＳＥＴグループを示し、ＣＯＲＥＳＥＴグループ構成は、ＣＯＲＥＳＥＴグループに関連付けられているＰＵＣＣＨ構成を示す。ＲＲＣシグナリングは、各ＰＵＣＣＨ構成に関連付けられているＣＯＲＥＳＥＴグループＩＤを示し、各ＣＯＲＥＳＥＴグループ構成は、１つのフィールドに関連付けられているＰＵＣＣＨ構成を示す当該フィールドを含む。ＲＲＣシグナリングは、各ＰＵＣＣＨ構成に関連付けられている全てのＣＯＲＥＳＥＴ‐ＩＤを示す。ＲＲＣシグナリングは、１つ又は複数の探索空間グループ構成が、当該探索空間グループに関連付けられているＰＵＣＣＨ構成を示す１つのフィールドを含むことを示す。ＲＲＣシグナリングは、各ＰＵＣＣＨ構成に関連付けられている探索空間グループＩＤを示す複数の探索空間グループを示し、各探索空間構成は、１つのフィールドに関連付けられているＰＵＣＣＨ構成を示す当該フィールドを含む。ＲＲＣシグナリングは、各ＰＵＣＣＨ構成に関連付けられている全ての探索空間ＩＤを示す。ＲＲＣシグナリングは、１つ又は複数ＤＭＲＳポートグループを示し、ＤＭＲＳポートグループ構成は、１つのフィールドに関連付けられているＰＵＣＣＨ構成を示す当該フィールドを含む。ＲＲＣシグナリングは、各ＰＵＣＣＨ構成に関連付けられているＤＭＲＳポートグループＩＤを示す１つ又は複数のＤＭＲＳポートグループを示す。ＲＲＣシグナリングは、各ＤＭＲＳポートについて、当該ＤＭＲＳポートに関連付けられているＰＵＣＣＨ構成を示す。ＲＲＣシグナリングは、各ＰＵＣＣＨ構成に関連付けられている全てのＤＭＲＳポートを示す。ＲＲＣシグナリングは、各ＴＢについて、当該ＴＢに関連付けられているＰＵＣＣＨ構成を示す。ＲＲＣシグナリングは、各ＰＵＣＣＨ構成に関連付けられているＴＢを示し、各ＰＤＳＣＨコンフィグは、１つのフィールドに関連付けられているＰＵＣＣＨ構成を示す当該フィールドを含む、又は、ＲＲＣシグナリングは、各ＰＵＣＣＨ構成に対応するＰＤＳＣＨコンフィグＩＤを示す。
【００９４】
ＰＵＣＣＨ構成は、ＵＣＩが構成済みＰＵＣＣＨリソースに基づいて送信される場合、構成済みＰＵＣＣＨリソースにコンフリクトが生じないことを確実にできるように、前述のパラメータのうちの１つ又は複数に関連付けられる。
【００９５】
具体的には、一実装において、ＰＵＣＣＨ構成は、１つ又は複数のＰＵＣＣＨリソース構成を含む。
【００９６】
図３ａは、ＰＵＣＣＨリソース構成の概略図である。例えば、２つのＴＲＰが端末デバイスにサービス提供する。２つのＰＵＣＣＨリソース構成は、ＲＲＣシグナリングを使用して構成され、２つのＰＤＣＣＨコンフィグ／２つのＣＯＲＥＳＥＴグループ／２つの探索空間グループ／２つのＰＤＳＣＨコンフィグ／２つのＤＭＲＳポートグループ／２つのＴＢにそれぞれ関連付けられる（例えば、図３ａでは、２つのＰＵＣＣＨリソース構成は、２つのＰＤＣＣＨコンフィグに関連付けられる）。加えて、２つのＰＵＣＣＨリソース構成において示されるＰＵＣＣＨリソースは、共通部分を有しなくてよい。
【００９７】
具体的な実装において、ＰＤＣＣＨコンフィグ／ＣＯＲＥＳＥＴグループ／探索空間グループ／ＰＤＳＣＨコンフィグ／ＤＭＲＳポートグループ／ＴＢに関連付けられているＰＵＣＣＨリソース構成の識別子は、ＲＲＣシグナリングを使用して示される。代替的に、各ＰＵＣＣＨリソース構成に関連付けられているＰＤＣＣＨコンフィグ／ＣＯＲＥＳＥＴグループ／探索空間グループ／ＰＤＳＣＨコンフィグ／ＤＭＲＳポートグループ／ＴＢのＩＤは、ＰＵＣＣＨ構成において示されてよい。
【００９８】
図３ａに示すように、これは、２つのＰＵＣＣＨリソース構成が、ＰＵＣＣＨリソースコンフリクトを回避できるように２つのＰＤＣＣＨコンフィグにそれぞれ関連付けられるように構成されている。ＰＵＣＣＨ構成に関連付けられている他のパラメータを決定する方式は、上記のものと同様である。
【００９９】
別の実装において、ＰＵＣＣＨ構成は、１つ又は複数のＰＵＣＣＨリソースグループを含み、各ＰＵＣＣＨリソースグループは、１つ又は複数のＰＵＣＣＨリソースを含み、１つ又は複数のＰＵＣＣＨリソースグループは、１つ又は複数のパラメータにそれぞれ関連付けられる。
【０１００】
図３ｂは、別のＰＵＣＣＨリソース構成の概略図である。例えば、２つのＴＲＰが端末デバイスにサービス提供する。１つのＰＵＣＣＨ構成は、ＲＲＣシグナリングを使用して構成される。ＰＵＣＣＨ構成は、２つのＰＵＣＣＨリソースグループ（ＰＵＣＣＨ  ｒｅｓｏｕｒｃｅ  ｇｒｏｕｐ）を含む。各ＰＵＣＣＨリソースグループは、１つ又は複数のＰＵＣＣＨリソースを含む。２つのＰＵＣＣＨリソースグループは、２つのＰＤＣＣＨコンフィグ／２つのＣＯＲＥＳＥＴグループ／２つの探索空間グループ／２つのＰＤＳＣＨコンフィグ／２つのＤＭＲＳポートグループ／２つのＴＢにそれぞれ関連付けられる（例えば、図３ｂにおいて、２つのＰＵＣＣＨリソースグループは、２つのＰＤＣＣＨコンフィグに関連付けられる）。
【０１０１】
この関連付けの関係に基づき、端末デバイスは、端末デバイスによって検出されたＤＣＩに対応するＰＤＣＣＨコンフィグに基づいて、ＰＤＣＣＨコンフィグに関連付けられているＰＵＣＣＨリソースグループを決定し、ＰＵＣＣＨリソースコンフリクトを回避できるように、ＰＵＣＣＨリソースグループからＵＣＩを送信するためのＰＵＣＣＨリソースを選択してよい。ＰＵＣＣＨ構成に関連付けられている他のパラメータを決定する方式は、上記のものと同様である。
【０１０２】
また別の実装において、ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、１つ又は複数のＰＵＣＣＨリソースセットグループは、１つ又は複数のパラメータにそれぞれ関連付けられる。
【０１０３】
図３ｃは、また別のＰＵＣＣＨリソース構成の概略図である。例えば、２つのＴＲＰが端末デバイスにサービス提供する。１つのＰＵＣＣＨ構成は、ＲＲＣシグナリングを使用して送信され、ＰＵＣＣＨ構成は、２つのＰＵＣＣＨリソースセットグループの指示情報を含む。２つのＰＵＣＣＨリソースセットグループは、２つのＰＤＣＣＨコンフィグ／２つのＣＯＲＥＳＥＴグループ／２つの探索空間グループ／２つのＰＤＳＣＨコンフィグ／２つのＤＭＲＳポートグループ／２つのＴＢにそれぞれ関連付けられる。
【０１０４】
具体的な実装において、ＲＲＣシグナリングは、２つのＰＤＣＣＨコンフィグ／２つのＣＯＲＥＳＥＴグループ／２つの探索空間グループ／２つのＰＤＳＣＨコンフィグ／２つのＤＭＲＳポートグループ／２つのＴＢに関連付けられているＰＵＣＣＨリソースセットグループＩＤを示す。
【０１０５】
この関連付けの関係に基づき、端末デバイスは、端末デバイスによって検出されたＤＣＩに対応するＰＤＣＣＨコンフィグに基づいて、ＰＤＣＣＨコンフィグに関連付けられているＰＵＣＣＨリソースセットグループを決定し、ＰＵＣＣＨリソースコンフリクトを回避できるように、ＰＵＣＣＨリソースセットグループからＵＣＩを送信するためのＰＵＣＣＨリソースを選択してよい。ＰＵＣＣＨ構成に関連付けられている他のパラメータを決定する方式は、上記のものと同様である。
【０１０６】
また別の実装において、ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、１つ又は複数のＰＵＣＣＨリソースセットに含まれる１つ又は複数のＰＵＣＣＨリソースグループは、１つ又は複数のパラメータにそれぞれ関連付けられる。
【０１０７】
図３ｄは、また別のＰＵＣＣＨリソース構成の概略図である。例えば、２つのＴＲＰが端末デバイスにサービス提供する。１つのＰＵＣＣＨ構成は、ＲＲＣシグナリングを使用して送信され、ＰＵＣＣＨ構成は、１つのＰＵＣＣＨリソースセット内の２つのＰＵＣＣＨリソースグループの指示情報を含む。各ＰＵＣＣＨリソースグループは、１つ又は複数のＰＵＣＣＨリソースを含む。ＰＵＣＣＨリソースセット内の２つのＰＵＣＣＨリソースグループは、２つのＰＤＣＣＨコンフィグ／２つのＣＯＲＥＳＥＴグループ／２つの探索空間グループ／２つのＰＤＳＣＨコンフィグ／２つのＤＭＲＳポートグループ／２つのＴＢにそれぞれ関連付けられる（例えば、図３ｄにおいて、２つのＰＵＣＣＨリソースグループは、２つのＰＤＣＣＨコンフィグに関連付けられる）。図３ｄでは、１つのＰＵＣＣＨ構成が一例として使用される。ネットワーク側がＰＵＣＣＨを構成する場合、複数のＰＵＣＣＨリソースセットが存在してよい。本実装において、各ＰＵＣＣＨリソースセットに含まれる複数のＰＵＣＣＨリソースグループは、複数のＰＤＣＣＨコンフィグにそれぞれ関連付けられる。換言すれば、各ＰＵＣＣＨリソースセット内のリソースグループは、ＰＤＣＣＨコンフィグと同じように関連付けられる。
【０１０８】
この関連付けの関係に基づき、端末デバイスは、端末デバイスによって検出されたＤＣＩに対応するＰＤＣＣＨコンフィグに基づいて、ＰＤＣＣＨコンフィグに関連付けられているＰＵＣＣＨリソースグループを決定し、ＰＵＣＣＨリソースコンフリクトを回避できるように、１つのＰＵＣＣＨリソースセットからＵＣＩを送信するためのＰＵＣＣＨリソースグループ内の１つ又は複数のＰＵＣＣＨリソースを選択してよい。ＰＵＣＣＨ構成に関連付けられている他のパラメータを決定する方式は、上記のものと同様である。
【０１０９】
Ｓ１０２．ネットワークデバイスは、端末デバイスにダウンリンク制御情報を送信する。端末デバイスは、ダウンリンク制御情報を受信する。
【０１１０】
複数のネットワークデバイスは、端末デバイスのためにネットワークデバイスによって構成されたダウンリンク制御チャネルリソースを使用して、端末デバイスに複数のＤＣＩをそれぞれ送信する。端末デバイスは、ＰＤＣＣＨコンフィグが示すリソースに基づいて１つのＤＣＩをブラインド検出する、又は、ＣＯＲＥＳＥＴグループが示すリソースに基づいて１つのＤＣＩをブラインド検出する、又は、探索空間グループが示すリソースに基づいて１つのＤＣＩをブラインド検出する。
【０１１１】
Ｓ１０３．端末デバイスは、ＤＣＩに対応するダウンリンクチャネルリソースパラメータ、ＤＣＩが示すＤＭＲＳポート関連パラメータ、又は、ＤＣＩによって有効化されるトランスポートブロックパラメータのうちの１つ又は複数のパラメータに基づいて、この１つ又は複数のパラメータに関連付けられているＰＵＣＣＨ構成を決定する。
【０１１２】
端末デバイスが受信したＤＣＩに基づいて、ＤＣＩを送信するのに使用されたダウンリンクチャネルリソースが区別されてよく、ＤＣＩが示すＰＤＳＣＨのＤＭＲＳポート関連パラメータが区別されてよく、ＤＣＩによって有効化されるＴＢパラメータが区別されてよい。ＰＵＣＣＨ構成は、前述の１つ又は複数のパラメータに関連付けられているＰＵＣＣＨ構成が使用され、ＰＵＣＣＨリソースコンフリクトを回避できるように、前述の１つ又は複数のパラメータにさらに関連付けられる。
【０１１３】
図３ａ〜図３ｄにおける前述の実装では、複数のＰＵＣＣＨ構成が説明された。前述の実装を参照しながら、以下で、各ＰＵＣＣＨ構成において具体的にどのようにＰＵＣＣＨリソースを選択するかをさらに説明する。
【０１１４】
具体的には、図３ａに示す実装において、端末デバイスは、検出されたＤＣＩに対応するＰＤＣＣＨコンフィグに基づいて、ＰＤＣＣＨコンフィグに関連付けられているＰＵＣＣＨリソース構成を決定してよい。さらに、決定されたＰＵＣＣＨリソース構成において、端末デバイスが、ＵＣＩのビット数を使用して１つのＰＵＣＣＨリソースセットを決定し、ＤＣＩ内のＰＵＣＣＨリソース指示（ＰＵＣＣＨ  ｒｅｓｏｕｒｃｅ  ｉｎｄｉｃａｔｏｒ）フィールドを使用して決定されたＰＵＣＣＨリソースセットから、１つのＰＵＣＣＨリソースを選択する。
【０１１５】
特定の実装において、端末デバイスは、ＵＣＩの総ビット数に基づいて１つのＰＵＣＣＨリソースセットを決定してよい。
【０１１６】
例えば、ＵＣＩの総ビット数に基づいてＰＵＣＣＨリソースセットを決定する方法は、以下のとおりとしてよいが、これに限定されない。
【０１１７】
４つのＰＵＣＣＨリソースセットが存在する。端末デバイスがＮＵＣＩビットのＵＣＩを送信する場合、端末デバイスによってＰＵＣＣＨリソースセットを決定するとは、以下である。
ＮＵＣＩ≦２である場合、第１のセット内のＰＵＣＣＨリソースを使用する、又は、
２＜ＮＵＣＩ＜Ｎ２である場合、第２のセット内のＰＵＣＣＨリソースを使用する（ここで、Ｎ２は、上位層パラメータＮ＿２によって与えられる）、
Ｎ２≦ＮＵＣＩ＜Ｎ３の場合、第３のセット内のＰＵＣＣＨリソースを使用する（ここで、Ｎ３は、上位層パラメータＮ＿３によって与えられる）、又は、
Ｎ３≦ＮＵＣＩ≦Ｎ４である場合、第４のセット内のＰＵＣＣＨリソースを使用する。
【０１１８】
さらに、ＰＵＣＣＨリソースセット内の特定のＰＵＣＣＨリソース（例えば、指示のために３ビットが使用される）は、ＤＣＩに含まれるＰＵＣＣＨリソース指示フィールド及び別のパラメータを参照して示してよい。
【０１１９】
図３ｂに示す実装において、ＰＤＣＣＨコンフィグに関連付けられているＰＵＣＣＨリソースグループが決定された後、選択されることになる特定のＰＵＣＣＨリソースセットは、ＵＣＩのビット数に基づいて決定されてよく、選択されることになるＰＵＣＣＨリソースセット内の特定のＰＵＣＣＨリソースは、ＤＣＩ内のＰＵＣＣＨリソース指示フィールドに基づいて決定されてよい。
【０１２０】
図３ｃに示す実装において、ＰＤＣＣＨコンフィグに関連付けられているＰＵＣＣＨリソースセットグループが決定された後、選択されることになる特定のＰＵＣＣＨリソースセットは、ＵＣＩのビット数に基づいて決定されてよく、選択されることになるＰＵＣＣＨリソースセット内の特定のＰＵＣＣＨリソースは、ＤＣＩ内のＰＵＣＣＨリソース指示フィールドに基づいて決定されてよい。
【０１２１】
図３ｄに示す実装において、選択されることになる特定のＰＵＣＣＨリソースセットは、ＵＣＩのビット数に基づいて決定されてよく、ＰＵＣＣＨリソースセット内にあるとともにＰＤＣＣＨコンフィグに関連付けられているＰＵＣＣＨリソースグループが決定された後、選択されることになるＰＵＣＣＨリソースグループ内の特定のＰＵＣＣＨリソースは、ＤＣＩ内のＰＵＣＣＨリソース指示フィールドに基づいて決定されてよい。
【０１２２】
Ｓ１０４．端末デバイスは、決定されたＰＵＣＣＨリソースを使用してネットワークデバイスにアップリンク制御情報を送信する。
【０１２３】
ＰＵＣＣＨリソースの決定後、端末デバイスは、ＰＵＣＣＨリソースを使用して、対応するネットワークデバイスにＵＣＩを送信する。
【０１２４】
多局伝送の事例では、複数のＤＣＩは必ずしも毎時点受信されなくてよいことに留意されたい。いくつかの事例では、端末デバイスに対して１つのみのＰＤＳＣＨをスケジュールする、すなわち、この事例では、１つのみのＤＣＩを受信することが可能である。しかしながら、端末デバイスは、本実施形態における関連付けの関係を使用して、オペレーションを依然として実行してよい。
【０１２５】
加えて、端末デバイスが本実施形態における関連付けの関係を使用してオペレーションを実行するか否かを決定する方式は、以下のとおりとしてよい。ネットワーク側がＰＵＣＣＨ構成を構成する場合、すなわち、１つ又は複数のＰＵＣＣＨリソース構成、１つ又は複数のＰＵＣＣＨリソースグループ、１つ又は複数のＰＵＣＣＨリソースセット、又は、１つ又は複数のＰＵＣＣＨリソースセットグループを構成する場合、端末デバイスは、前述の関連付けの関係に基づいて、１つのＰＵＣＣＨリソース構成、１つのＰＵＣＣＨリソースグループ、１つのＰＵＣＣＨリソースセット、又は、１つのＰＵＣＣＨリソースセットグループを決定する。代替的に、ネットワーク側が１つのＰＵＣＣＨリソース構成、１つのＰＵＣＣＨリソースグループ、１つのＰＵＣＣＨリソースセット、又は、１つのＰＵＣＣＨリソースセットグループのみを構成する場合、端末デバイスは、前述の関連付けの関係に基づいてＰＵＣＣＨリソースも決定してよい。
【０１２６】
本願の本実施形態において提供される通信方法によれば、ＰＵＣＣＨリソース構成指示情報は、ダウンリンクチャネルリソース、復調参照信号ポート関連パラメータ、及びトランスポートブロックパラメータのうちの１つ又は複数のパラメータに関連付けられる。端末デバイスがＰＵＣＣＨリソースを使用してアップリンク制御情報を送信する場合、ＰＵＣＣＨリソースコンフリクトを回避でき、それにより伝送信頼性が確保される。
【０１２７】
前述の実施形態において、端末デバイスは、複数のＰＵＣＣＨリソースを使用して、複数のネットワークデバイスをＵＣＩに送信してよい。本実施形態において、端末デバイスは、１つのＰＵＣＣＨリソースを使用して１つのみのネットワークデバイスにＵＣＩを送信し、別のネットワークデバイスが、以下の実施形態において説明されるようにＰＤＳＣＨのフィードバック情報を取得する。詳細な説明は以下のとおりである。
【０１２８】
図４は、本願の一実施形態に係る別の通信方法の概略フローチャートである。
【０１２９】
Ｓ２０１．複数のネットワークデバイスは、端末デバイスに複数のＤＣＩをそれぞれ送信する。端末デバイスは、複数のＤＣＩを受信する。複数のＤＣＩは、ダウンリンクチャネルリソースパラメータ、復調参照信号ポート関連パラメータ、又はトランスポートブロックパラメータのうちの１つ又は複数にそれぞれ対応する。
【０１３０】
前述の実施形態を参照すると、端末デバイスは、１つ又は複数のダウンリンクチャネルリソースパラメータに基づいてＤＣＩを検出するか、又は、複数の受信したＤＣＩのそれぞれが示すＰＤＳＣＨのＤＭＲＳポート関連パラメータを決定するか、又は、ＤＣＩによって有効化されるＴＢパラメータを決定してよい。
【０１３１】
Ｓ２０２．端末デバイスは、基準に従って複数のＤＣＩのうちの１つを選択し、ＰＵＣＣＨリソースを決定する。
【０１３２】
本実施形態において、ダウンリンクデータのフィードバック情報は、１つのＰＵＣＣＨリソースを使用して１つのみのネットワークデバイスに報告される。ＤＣＩは、ダウンリンクチャネルリソースパラメータ、復調参照信号ポート関連パラメータ、又はトランスポートブロックパラメータのうちの１つ又は複数のパラメータに対応し、ＰＵＣＣＨリソースは、ダウンリンクチャネルリソースパラメータ、復調参照信号ポート関連パラメータ、又はトランスポートブロックパラメータのうちの１つ又は複数のパラメータに関連付けられる（関連付けの方式は、前述の実施形態における関連付けの方式又は別の関連付けの方式としてよい）。したがって、この段階では、１つのＤＣＩが、複数のＤＣＩから選択され、選択されたＤＣＩが示すＰＵＣＣＨリソースが決定される。１つのＤＣＩは、本明細書における基準に従って選択されることに留意されたい。関連付けの関係がない場合、フィードバックは、ＤＣＩが示すＰＵＣＣＨリソースに基づいて直接実行されてよい。
【０１３３】
複数のＤＣＩ選択基準が存在する。例えば、特定のダウンリンクチャネルリソースパラメータ、復調参照信号ポート関連パラメータ、又はトランスポートブロックパラメータに対応するＤＣＩが常に選択される。ＤＣＩは、ダウンリンクチャネルリソースパラメータ、復調参照信号ポート関連パラメータ、又はトランスポートブロックパラメータに対応し、ＰＵＣＣＨリソースは、ダウンリンクチャネルリソースパラメータ、復調参照信号ポート関連パラメータ、又はトランスポートブロックパラメータにさらに関連付けられる。したがって、ダウンリンクチャネルリソースパラメータ又は復調参照信号ポート関連パラメータ又はトランスポートブロックパラメータに関連付けられているＰＵＣＣＨリソースは、選択されたＤＣＩに対応するダウンリンクチャネルリソースパラメータ、復調参照信号ポート関連パラメータ、又はトランスポートブロックパラメータに基づいて決定されてよい。
【０１３４】
Ｓ２０３．端末デバイスは、ＰＵＣＣＨリソースを使用して複数のダウンリンクデータの組み合わせフィードバック情報を送信する。第１のネットワークデバイスは、端末デバイスによって送信される、複数のダウンリンクデータの組み合わせフィードバック情報を受信する。
【０１３５】
端末デバイスは、複数のダウンリンクデータのフィードバック情報を組み合わせる。具体的には、組み合わせは、予め設定された組み合わせ規則に従って実行される。例えば、比較的小さなパラメータ値を有するダウンリンクチャネルリソースパラメータ又は復調参照信号ポート関連パラメータ、又は、比較的小さな識別子を有するトランスポートブロックパラメータに対応するＤＣＩが選択され、ＤＣＩに対応するダウンリンクデータのフィードバック情報が、組み合わせフィードバック情報のフロントフィールドに配置され、比較的大きなパラメータ値を有するダウンリンクチャネルリソースパラメータ又は復調参照信号ポート関連パラメータ、又は、比較的大きな識別子を有するトランスポートブロックパラメータに対応するＤＣＩが選択され、ＤＣＩに対応するダウンリンクデータのフィードバック情報が、組み合わせフィードバック情報のリヤフィールドに配置される。代替的に、反対の選択方法を使用してもよい。別の例として、ダウンリンクデータのフィードバック情報は、より前のＤＣＩに対応するダウンリンクデータのフィードバック情報、又は、より後のＤＣＩに対応するダウンリンクデータのフィードバック情報、又は、時間的により近いＤＣＩに対応するダウンリンクデータのフィードバック情報、又は、全てのＤＣＩに対応するダウンリンクデータのフィードバック情報と組み合わされる。このように、組み合わせフィードバック情報の受信後、ネットワークデバイスは、予め設定された組み合わせ規則に従って各ダウンリンクデータのフィードバック情報を首尾よくパースして取り出すことができる。
【０１３６】
端末デバイスは、前述の決定されたＰＵＣＣＨリソースを使用して、ネットワークデバイスに組み合わせフィードバック情報を送信する。例えば、決定されたＰＵＣＣＨリソースが第１のネットワークデバイスに関連付けられている場合、組み合わせフィードバック情報は、第１のネットワークデバイスに送信され、ここで、組み合わせフィードバック情報は、第１のダウンリンクデータのフィードバック情報及び第１のネットワークデバイスによって送信された他のダウンリンクデータのフィードバック情報を含む。
【０１３７】
Ｓ２０４．第１のネットワークデバイスは、他のネットワークデバイスに、当該他のネットワークデバイスによって送信されたダウンリンクデータのフィードバック情報を通知する。
【０１３８】
ダウンリンクデータの組み合わせフィードバック情報の受信後、第１のネットワークデバイスは、予め設定された組み合わせ規則に従って、各ダウンリンクデータのフィードバック情報をパースして取り出す。加えて、他のダウンリンクデータのフィードバック情報は、当該他のネットワークデバイスにそれぞれ通知される。
【０１３９】
以下では、特定のシナリオを使用して、前述のＤＣＩ選択基準及びフィードバック情報組み合わせ規則を説明する。
【０１４０】
或るシナリオにおいて、１つのスロット（ｓｌｏｔ）又は別の時間単位における場合、端末デバイスが２つのダウンリンクデータのフィードバック情報、及び、異なるＰＤＣＣＨコンフィグ／ＣＯＲＥＳＥＴグループ／探索空間グループ／ＰＤＳＣＨコンフィグ／ＤＭＲＳポートグループ／ＴＢに対応する２つのＤＣＩを報告する必要がある。端末デバイスは、２つのＤＣＩに対応するダウンリンクデータのフィードバック情報を一緒に報告し、リソース決定基準に従って、特定のＤＣＩが示すリソースを使用することを決定する（例えば、比較的小さな識別子を有するＰＤＣＣＨコンフィグ／ＣＯＲＥＳＥＴグループ／探索空間グループ／ＰＤＳＣＨコンフィグ／ＤＭＲＳポートグループ／ＴＢに対応するＤＣＩが示すリソースが常に使用される）。加えて、プロトコルは、２つのフィードバック情報の組み合わせ時に使用される組み合わせ順序を特定する必要がある（例えば、比較的小さな識別子を有するＰＤＣＣＨコンフィグ／ＣＯＲＥＳＥＴグループ／探索空間グループ／ＰＤＳＣＨコンフィグ／ＤＭＲＳポートグループ／ＴＢに対応するダウンリンクデータのフィードバック情報が常に第１位にランクする）。
【０１４１】
別のシナリオにおいて、端末デバイスがスロット又は別の時間単位において複数のダウンリンクデータのフィードバック情報を報告する必要がある場合、複数のＤＣＩが、異なるＰＤＣＣＨコンフィグ／ＣＯＲＥＳＥＴグループ／探索空間グループ／ＰＤＳＣＨコンフィグ／ＤＭＲＳポートグループ／ＴＢに対応し、リソース決定基準を使用する１つのＤＣＩが存在し（例えば、比較的小さな識別子を有するＰＤＣＣＨコンフィグ／ＣＯＲＥＳＥＴグループ／探索空間グループ／ＰＤＳＣＨコンフィグ／ＤＭＲＳポートグループ／ＴＢに対応するＤＣＩが示すリソースが常に使用される）、リソース決定基準を満たさない複数のＤＣＩが存在し、特定のリソース決定基準に従って決定されたＤＣＩが示すＰＵＣＣＨリソースが使用され、フィードバック情報が組み合わされる。プロトコルが、組み合わせ順序を特定する必要がある（例えば、比較的小さな識別子を有するＰＤＣＣＨコンフィグ／ＣＯＲＥＳＥＴグループ／探索空間グループ／ＰＤＳＣＨコンフィグ／ＤＭＲＳポートグループ／ＴＢに対応するダウンリンクデータのフィードバック情報が第１位にランクし、より前に供給されたＤＣＩに対応するフィードバック情報は、識別子が同じ場合は第１位にランクする）。
【０１４２】
また別のシナリオにおいて、端末デバイスがスロット又は別の時間単位において複数のダウンリンクデータのフィードバック情報を報告する必要がある場合、複数のＤＣＩが、異なるＰＤＣＣＨコンフィグ／ＣＯＲＥＳＥＴグループ／探索空間グループ／ＰＤＳＣＨコンフィグ／ＤＭＲＳポートグループ／ＴＢに対応し、リソース決定基準を満たす複数のＤＣＩが存在し、リソース決定基準を満たさない１つ又は複数のＤＣＩが存在し、組み合わせは、特定の組み合わせ規則を使用して実行される（例えば、より前に送信されたＤＣＩに対応するフィードバック情報が組み合わされる、又は、より後に送信されたＤＣＩに対応するフィードバック情報が組み合わされる、又は、より近くで送信されたＤＣＩに対応するフィードバック情報が組み合わされる、又は、全てのＤＣＩに対応するフィードバック情報が組み合わされる）。
【０１４３】
前述のシナリオは、単に一例である。もちろん、本願は、前述のシナリオにおいて説明されたＤＣＩ選択基準及びフィードバック情報組み合わせ規則に限定されない。
【０１４４】
本願の本実施形態において提供される通信方法によれば、ダウンリンクデータのフィードバック情報が１つのみのＰＵＣＣＨリソースを使用して報告される場合、ＤＣＩは、予め設定された基準に従って選択され、リソースコンフリクトを回避できるように、関連付けられているＰＵＣＣＨリソースが決定され、ダウンリンクデータのフィードバック情報を確実に報告することができる。
【０１４５】
ネットワーク側によって送信される２つのＤＣＩは、プライマリＤＣＩとセカンダリＤＣＩとに分類される。プライマリＤＣＩは、全ての情報を含み、セカンダリＤＣＩは、必要な情報の一部のみを含み、ＰＵＣＣＨリソースの指示情報は、プライマリＤＣＩにのみ含まれる。ＰＵＣＣＨリソースを使用して２つのダウンリンクデータのフィードバック情報（すなわち、ＡＣＫ又はＮＡＣＫ）をどのように報告するかは、以下で詳細に説明される。
【０１４６】
図５は、本願の一実施形態に係る別の通信方法の概略フローチャートである。
【０１４７】
Ｓ３０１．第１のネットワークデバイスは、端末デバイスに第１のＤＣＩを送信し、第１のＤＣＩは、ＰＵＣＣＨリソースの指示情報を含み、第２のネットワークデバイスは、端末デバイスに第２のＤＣＩを送信する。端末デバイスは、第１のネットワークデバイスから第１のＤＣＩを受信し、第２のネットワークデバイスから第２のＤＣＩを受信する。
【０１４８】
本実施形態において、第１のネットワークデバイス及び第２のネットワークデバイスは、協調して端末デバイスに情報又はデータを送信する。具体的には、第１のネットワークデバイスは、端末デバイスに第１のＤＣＩを送信し、第２のネットワークデバイスは、端末デバイスに第２のＤＣＩを送信する。第１のＤＣＩは、プライマリＤＣＩとしてよく、第２のＤＣＩは、セカンダリＤＣＩとしてよく、ＰＵＣＣＨリソースの指示情報は、プライマリＤＣＩにのみ含まれる。使用されることになるＰＵＣＣＨリソースセット内の特定のＰＵＣＣＨリソースは、プライマリＤＣＩ内のＰＵＣＣＨリソース指示情報に基づいて決定されてよい。ＰＵＣＣＨリソースセット及びＰＵＣＣＨリソースセット内のリソースを決定する方法に関しては前述の実施形態を参照されたい。ここで詳細は再度説明しない。しかしながら、セカンダリＤＣＩがＰＵＣＣＨリソース指示情報を含まないので、第２のネットワークデバイスにダウンリンクデータのフィードバック情報を送信するためのＰＵＣＣＨリソースは、セカンダリＤＣＩに基づいて決定することができない。
【０１４９】
Ｓ３０２．端末デバイスは、第１のＤＣＩが示すＰＵＣＣＨリソースを使用して、第１のネットワークデバイスにダウンリンクデータの組み合わせフィードバック情報を送信し、ここで、ダウンリンクデータの組み合わせフィードバック情報は、第１のダウンリンクデータのフィードバック情報及び第２のダウンリンクデータのフィードバック情報を含む。第１のネットワークデバイスは、端末デバイスによって送信される、ダウンリンクデータの組み合わせフィードバック情報を受信する。
【０１５０】
ここで、第１のネットワークデバイスは、第１のダウンリンクデータを送信し、ここで、第１のダウンリンクデータのフィードバック情報は、第１のネットワークデバイスに送信されるフィードバック情報であり、第２のネットワークデバイスは、第２のダウンリンクデータを送信し、ここで、第２のダウンリンクデータのフィードバック情報は、第２のネットワークデバイスに送信される必要があるフィードバック情報である。本実施形態において、第１のダウンリンクデータのフィードバック情報及び第２のダウンリンクデータのフィードバック情報が組み合わされ、これらの両方が、最初に第１のネットワークデバイスに送信される。
【０１５１】
端末デバイスは、予め設定された組み合わせ規則に従って、第１のダウンリンクデータのフィードバック情報及び第２のダウンリンクデータのフィードバック情報を組み合わせる。例えば、第１のダウンリンクデータのフィードバック情報は、組み合わせフィードバック情報のフロントフィールドに配置され、第２のダウンリンクデータのフィードバック情報は、組み合わせフィードバック情報のリヤフィールドに配置される。もちろん、反対の順序を使用してもよい。このように、組み合わせフィードバック情報の受信後、第１のネットワークデバイスは、第１のダウンリンクデータのフィードバック情報及び第２のダウンリンクデータのフィードバック情報を首尾よくパースして取り出すことができる。
【０１５２】
端末デバイスは、第１のＤＣＩが示すＰＵＣＣＨリソースを使用して、第１のネットワークデバイスにダウンリンクデータの組み合わせフィードバック情報を送信する。
【０１５３】
Ｓ３０３．第１のネットワークデバイスは、第２のネットワークデバイスに、第２のダウンリンクデータのフィードバック情報を通知する。第２のネットワークデバイスは、第２のダウンリンクデータのフィードバック情報を受信する。
【０１５４】
組み合わせフィードバック情報の受信後、第１のネットワークデバイスは、組み合わせ規則に従って、第１のダウンリンクデータのフィードバック情報及び第２のダウンリンクデータのフィードバック情報を首尾よくパースして取り出すことができる。加えて、第１のネットワークデバイスは、第２のネットワークデバイスに、第２のダウンリンクデータのフィードバック情報を通知する。
【０１５５】
前述のものは、２つのネットワークデバイスが協調して端末デバイスに情報又はデータを送信する一例を使用して説明した。実際には、代替的に、複数のネットワークデバイスが協調して、複数のプライマリＤＣＩ及び１つ又は複数のセカンダリＤＣＩを送信してよい。さらに、組み合わせフィードバック情報は、１つのプライマリＤＣＩが示すＰＵＣＣＨリソースを使用してプライマリＤＣＩを送信するネットワークデバイスにフィードバックしてもよく、又は、各プライマリダウンリンクデータのフィードバック情報は、１つ又は複数のセカンダリダウンリンクデータのフィードバック情報とそれぞれ組み合わせてもよい。組み合わせの方式は、これに限定されない。
【０１５６】
本願の本実施形態において提供される通信方法によれば、ＰＵＣＣＨリソースの指示情報を含むＤＣＩが示すＰＵＣＣＨリソースを使用して、フィードバックは、ダウンリンクデータのフィードバック情報がネットワークデバイスに確実に送信されることを確保するように、ＤＣＩを送信するネットワークデバイスに対してのみ実行される。
【０１５７】
本発明の実施形態における方法が上記で詳細に説明されたが、本発明の実施形態における装置が下記に提供される。
【０１５８】
前述の実施形態における通信方法と同じ思想に基づいて、図６に示すように、本願の一実施形態は、通信装置１０００をさらに提供する。通信装置は、図２に示す通信方法に適用されてよい。通信装置１０００は、図１に示す端末デバイス２００としてもよいし、又は、端末デバイス２００に適用される構成要素（例えば、チップ）としてもよい。通信装置１０００は、送受信ユニット１１を備えてよく、処理ユニット１２をさらに備えてよい。
【０１５９】
送受信ユニット１１は、ネットワークデバイスから物理的アップリンク制御チャネルＰＵＣＣＨリソース構成指示情報を受信するように構成され、ＰＵＣＣＨリソース構成指示情報は、ＰＵＣＣＨ構成を示すのに使用され、ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる。
【０１６０】
一実装において、送受信ユニット１１は、ネットワークデバイスからダウンリンク制御情報を受信するようにさらに構成されている。
【０１６１】
処理ユニット１２は、ダウンリンク制御情報に対応するダウンリンクチャネルリソースパラメータ、ダウンリンク制御情報が示す物理ダウンリンク共有チャネルの復調参照信号ポート関連パラメータ、及びダウンリンク制御情報によって有効化されるトランスポートブロックパラメータのうちの１つ又は複数のパラメータに基づいて、１つ又は複数のパラメータに関連付けられているＰＵＣＣＨ構成を決定するように構成されている。
【０１６２】
前述の送受信ユニット１１及び処理ユニット１２のより詳細な説明に関しては、図２に示した方法の実施形態における端末デバイスの関連する説明を直接参照されたい。詳細はここでは再度説明しない。
【０１６３】
前述の実施形態における通信方法と同じ思想に基づいて、図７に示すように、本願の一実施形態は、通信装置２０００をさらに提供する。通信装置は、図２に示す通信方法に適用されてよい。通信装置２０００は、図１に示すネットワークデバイス１００であってもよく、又は、ネットワークデバイス１００に適用される構成要素（例えば、チップ）としてもよい。通信装置２０００は、送受信ユニット２１を備える。
【０１６４】
送受信ユニット２１は、物理的アップリンク制御チャネルＰＵＣＣＨリソース構成指示情報を端末デバイスに送信するように構成され、ＰＵＣＣＨリソース構成指示情報は、ＰＵＣＣＨ構成を示すのに使用され、ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる。
【０１６５】
一実装において、送受信ユニット２１は、ダウンリンクチャネルリソースパラメータに基づいて、ダウンリンク制御情報を端末デバイスに送信するようにさらに構成されている。
【０１６６】
前述の送受信ユニット２１のより詳細な説明に関しては、図２に示した方法の実施形態におけるネットワークデバイスの関連する説明を直接参照されたい。詳細はここでは再度説明しない。
【０１６７】
前述の実施形態における通信方法と同じ思想に基づいて、図８に示すように、本願の一実施形態は、通信装置３０００をさらに提供する。通信装置は、図４に示す通信方法に適用されてよい。通信装置３０００は、図１に示す端末デバイス２００としてもよく、又は、端末デバイス２００に適用される構成要素（例えば、チップ）としてもよい。通信装置３０００は、送受信ユニット３１及び処理ユニット３２を備える。
【０１６８】
送受信ユニット３１は、複数のダウンリンク制御情報を受信するように構成され、複数のダウンリンク制御情報は、１つ又は複数のダウンリンクチャネルリソースパラメータ、復調参照信号ポート関連パラメータ、又はトランスポートブロックパラメータにそれぞれ対応する。
【０１６９】
処理ユニット３２は、基準に従って複数のダウンリンク制御情報のうちの１つを選択し、選択されたダウンリンク制御情報に対応するダウンリンクチャネルリソースパラメータ、復調参照信号ポート関連パラメータ、又はトランスポートブロックパラメータに基づいて、ダウンリンクチャネルリソースパラメータ、復調参照信号ポート関連パラメータ、又はトランスポートブロックパラメータに関連付けられている物理アップリンク制御チャネルリソースを決定するように構成されている。
【０１７０】
送受信ユニット３１は、物理アップリンク制御チャネルリソースを使用して、複数のダウンリンクデータの組み合わせフィードバック情報を送信するようにさらに構成されている。
【０１７１】
一実装において、処理ユニット３２は、予め設定された組み合わせ規則に従って、複数のダウンリンク制御情報のフィードバック情報を組み合わせるようにさらに構成されている。
【０１７２】
前述の送受信ユニット３１及び処理ユニット３２のより詳細な説明に関しては、図４に示した方法の実施形態における端末デバイスの関連する説明を直接参照されたい。詳細はここでは再度説明しない。
【０１７３】
前述の実施形態における通信方法と同じ思想に基づいて、図９に示すように、本願の一実施形態は、通信装置４０００をさらに提供する。通信装置は、図４を示す通信方法に適用されてよい。通信装置４０００は、図１に示すネットワークデバイス１００としてもよいし、又は、ネットワークデバイス１００に適用される構成要素（例えば、チップ）としてもよい。通信装置４０００は、送受信ユニット４１を備える。
【０１７４】
送受信ユニット４１は、ダウンリンク制御情報を端末デバイスに送信するように構成され、ダウンリンク制御情報は、ダウンリンクチャネルリソースパラメータ、復調参照信号ポート関連パラメータ、又はトランスポートブロックパラメータに対応する。
【０１７５】
送受信ユニット４１は、端末デバイスによって送信される、複数のダウンリンクデータの組み合わせフィードバック情報を受信するように構成されている。
【０１７６】
送受信ユニット４１は、別のネットワークデバイスに、当該別のネットワークデバイスによって送信されたダウンリンクデータのフィードバック情報を通知するようにさらに構成されている。
【０１７７】
前述の送受信ユニット４１のより詳細な説明に関しては、図４に示した方法の実施形態におけるネットワークデバイスの関連する説明を直接参照されたい。詳細はここでは再度説明しない。
【０１７８】
前述の実施形態における通信方法と同じ思想に基づいて、図１０に示すように、本願の一実施形態は、通信装置５０００をさらに提供する。通信装置は、図５に示す通信方法に適用されてよい。通信装置５０００は、図１に示す端末デバイス２００としてもよいし、又は、端末デバイス２００に適用される構成要素（例えば、チップ）としてもよい。通信装置５０００は、送受信ユニット５１を備える。  
【０１７９】
送受信ユニット５１は、第１のネットワークデバイスから第１のダウンリンク制御情報を、第２のネットワークデバイスから第２のダウンリンク制御情報を受信するように構成され、第１のダウンリンク制御情報は、物理アップリンク制御チャネルリソースの指示情報を含む。
【０１８０】
送受信ユニット５１は、第１のダウンリンク制御情報が示す物理アップリンク制御チャネルリソースを使用して、第１のネットワークデバイスにダウンリンクデータの組み合わせフィードバック情報を送信するようにさらに構成され、ダウンリンクデータの組み合わせフィードバック情報は、第１のダウンリンクデータのフィードバック情報及び第２のダウンリンクデータのフィードバック情報を含む。
【０１８１】
前述の送受信ユニット５１のより詳細な説明に関しては、図５に示した方法の実施形態における端末デバイスの関連する説明を直接参照されたい。詳細はここでは再度説明しない。
【０１８２】
前述の実施形態における通信方法と同じ思想に基づいて、図１１に示すように、本願の一実施形態は、通信装置６０００をさらに提供する。通信装置は、図５に示す通信方法に適用されてよい。通信装置２０００は、図１に示すネットワークデバイス１００としてもよいし、又は、ネットワークデバイス１００に適用される構成要素（例えば、チップ）としてもよい。通信装置６０００は、送受信ユニット６１を備える。  
【０１８３】
送受信ユニット６１は、第１のダウンリンク制御情報を端末デバイスに送信するように構成され、第１のダウンリンク制御情報は、物理アップリンク制御チャネルリソースの指示情報を含む。
【０１８４】
送受信ユニット６１は、端末デバイスによって送信されるダウンリンクデータの組み合わせフィードバック情報を受信するようにさらに構成され、ダウンリンクデータの組み合わせフィードバック情報は、第１のダウンリンクデータのフィードバック情報及び第２のダウンリンクデータのフィードバック情報を含む。
【０１８５】
送受信ユニット６１は、第２のネットワークデバイスに、第２のダウンリンクデータのフィードバック情報を通知するようにさらに構成されている。
【０１８６】
前述の送受信ユニット６１のより詳細な説明に関しては、図５に示す方法の実施形態におけるネットワークデバイスの関連する説明を直接参照されたい。詳細はここでは再度説明しない。
【０１８７】
本願の一実施形態は、通信装置をさらに提供する。通信装置は、前述の通信方法を実行するように構成されている。前述の通信方法の一部又は全ては、ハードウェアを使用して実装されてもよく、又は、ソフトウェアを使用して実装されてもよい。
【０１８８】
任意選択で、特定の実装において、通信装置は、チップ又は集積回路としてよい。
【０１８９】
任意選択で、前述の実施形態における通信方法の一部又は全てがソフトウェアを使用して実装される場合、通信装置は、プログラムを記憶するように構成されているメモリと、メモリに記憶されたプログラムを実行するように構成されているプロセッサとを備え、プログラムが実行されると、通信装置が前述の実施形態において提供された通信方法を実装するように有効化されるようになっている。
【０１９０】
任意選択で、前述のメモリは、物理的に独立したユニットとしてもよく、又は、プロセッサと統合されてもよい。
【０１９１】
任意選択で、前述の実施形態における通信方法の一部又は全てがソフトウェアを使用して実装される場合、代替的に、通信装置は、プロセッサのみを備えてよい。プログラムを記憶するように構成されているメモリは、通信装置の外部に位置する。プロセッサは、回路／ワイヤを使用してメモリに接続され、メモリに記憶されたプログラムを読み出して実行するように構成されている。
【０１９２】
プロセッサは、中央処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、又はＣＰＵとＮＰとの組み合わせであってよい。
【０１９３】
プロセッサは、ハードウェアチップをさらに含んでよい。前述したハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブル論理デバイス（ｐｒｏｇｒａｍｍａｂｌｅ  ｌｏｇｉｃ  ｄｅｖｉｃｅ、ＰＬＤ）又はそれらの組み合わせであってよい。前述のＰＬＤは、コンプレックスプログラマブルロジックデバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルロジックゲートアレイ（ｆｉｅｌｄ−ｐｒｏｇｒａｍｍａｂｌｅ  ｇａｔｅ  ａｒｒａｙ、ＦＰＧＡ）、ジェネリックアレイロジック（ｇｅｎｅｒｉｃ  ａｒｒａｙ  ｌｏｇｉｃ、ＧＡＬ）、又はそれらの任意の組み合わせとしてよい。
【０１９４】
メモリは、揮発性メモリ（ｖｏｌａｔｉｌｅ  ｍｅｍｏｒｙ）、例えば、ランダムアクセスメモリ（ｒａｎｄｏｍ−ａｃｃｅｓｓ  ｍｅｍｏｒｙ、ＲＡＭ）を含んでよい。代替的に、メモリは、不揮発性メモリ（ｎｏｎ−ｖｏｌａｔｉｌｅ  ｍｅｍｏｒｙ）、例えば、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、又はソリッドステートドライブ（ｓｏｌｉｄ−ｓｔａｔｅ  ｄｒｉｖｅ、ＳＳＤ）を含んでよい。代替的に、メモリは、前述のタイプのメモリの組み合わせを含んでよい。
【０１９５】
図１２は、簡略化された端末デバイスの概略構造図である。理解及び図示を容易にするために、図１２では、端末デバイスが携帯電話である一例を使用する。図１２に示すように、一実施形態において、端末デバイスは、プロセッサを備えてよい。プロセッサは、前述の実施形態における端末デバイスによって実行される方法を実装するように構成されている。
【０１９６】
プロセッサは、主に、通信プロトコル及び通信データを処理、端末デバイスを制御、ソフトウェアプログラムを実行、ソフトウェアプログラムのデータを処理等するように構成されている。端末デバイスは、メモリをさらに備えてよく、メモリは、主に、ソフトウェアプログラム及びデータを記憶するように構成されている。端末デバイスは、無線周波数回路、アンテナ、及び入力／出力装置のいずれか１つをさらに備えてよい。無線周波数回路は、主に、ベースバンド信号及び無線周波数信号を変換し、無線周波数信号を処理するように構成されている。アンテナは、主に、無線周波数信号を電磁波の形態で受信し、また送信するように構成される。タッチスクリーン、ディスプレイスクリーン、又はキーボード等の入力／出力装置は、主に、ユーザによって入力されるデータを受け、ユーザにデータを出力するように構成されている。一部のタイプの端末デバイスは、入力／出力装置を備えなくてよいことに留意されたい。
【０１９７】
別の実施形態において、端末デバイスは、プロセッサ及び送受信装置を備える。プロセッサは、送受信装置に結合され、プロセッサは、コンピュータプログラム又は命令を実行し、情報を受信及び送信するように送受信装置を制御するように構成されている。プロセッサがコンピュータプログラム又は命令を実行すると、プロセッサは、前述の実施形態における端末デバイスによって実行される方法を実装するようにさらに構成されている。
【０１９８】
本願の本実施形態において、受信及び送信機能を有するアンテナ及び無線周波数回路は、端末デバイスの受信ユニット及び送信ユニット（送受信ユニットと集合的に称される場合もある）とみなされてよく、処理機能を有するプロセッサは、端末デバイスの処理ユニットとみなされてよい。図１２に示すように、端末デバイスは、受信ユニット７１、処理ユニット７２、及び送信ユニット７３を備える。受信ユニット７１は、受信器、受信機、受信回路等と称される場合もある。送信ユニット７３は、送信器、送信デバイス、送信機、送信回路等と称される場合もある。処理ユニットは、プロセッサ、処理ボード、処理モジュール、処理装置等と称される場合もある。
【０１９９】
例えば、一実施形態において、受信ユニット７１は、図２に示す実施形態における段階Ｓ１０１及びＳ１０２での端末デバイスの機能を実行するように構成され、処理ユニット７２は、図２に示す実施形態における段階Ｓ１０３を実行するように構成され、送信ユニット７３は、図２に示す実施形態における段階Ｓ１０４での端末デバイスの機能を実行するように構成されている。
【０２００】
別の例として、別の実施形態において、受信ユニット７１は、図４に示す実施形態における段階Ｓ２０１での端末デバイスの機能を実行するように構成され、処理ユニット７２は、図４に示す実施形態における段階Ｓ２０２を実行するように構成され、送信ユニット７３は、図４に示す実施形態における段階Ｓ２０３での端末デバイスの機能を実行するように構成されている。
【０２０１】
別の例として、また別の実施形態において、受信ユニット７１は、図５に示す実施形態における段階Ｓ３０１での端末デバイスの機能を実行するように構成され、送信ユニット７３は、図５に示す実施形態における段階Ｓ３０２での端末デバイスの機能を実行するように構成されている。
【０２０２】
また別の実施形態において、端末デバイスは、プロセッサ及びメモリを備える。メモリは、コンピュータプログラム又は命令を記憶する。プロセッサがコンピュータプログラム又は命令を実行すると、プロセッサは、前述の実施形態における端末デバイスによって実行される方法を実装するように構成されている。
【０２０３】
データを送信する必要がある場合、送信されることになるデータにベースバンド処理を実行した後、プロセッサは、無線周波数回路にベースバンド信号を出力し、無線周波数回路は、ベースバンド信号に無線周波数処理を実行し、次に、電磁波の形態の無線周波数信号を、アンテナを通して外部に送信する。データが端末デバイスに送信される場合、無線周波数回路は、アンテナを使用して無線周波数信号を受信し、この無線周波数信号をベースバンド信号に変換し、プロセッサにベースバンド信号を出力する。プロセッサは、ベースバンド信号をデータに変換し、このデータを処理する。説明を容易にするために、図１２には、１つのメモリ及び１つのプロセッサのみを示している。実際の端末デバイス製品では、１つ又は複数のプロセッサ及び１つ又は複数のメモリが存在してよい。メモリは、記憶媒体又はストレージデバイス等と称される場合もある。メモリは、プロセッサから独立して配置されてもよく、又はプロセッサと統合されてもよい。これについては、本願の本実施形態において限定されない。
【０２０４】
一実施形態において、通信装置が提供される。通信装置は、プロセッサ及び送受信装置を備える。プロセッサは、送受信装置に結合され、プロセッサは、コンピュータプログラム又は命令を実行し、情報を受信及び送信するように送受信装置を制御するように構成されている。プロセッサがコンピュータプログラム又は命令を実行すると、プロセッサは、前述の方法の実施形態におけるネットワークデバイスによって実行される方法を実装するようにさらに構成されている。
【０２０５】
図１３は、簡略化されたネットワークデバイスの概略構造図である。ネットワークデバイスは、部分８２と、無線周波数信号の受信／送信及び変換のための部分とを備える。無線周波数信号の受信及び送信並びに変換のための部分は、受信ユニット８１及び送信ユニット８３（集合的に送受信ユニットと称される場合もある）をさらに備える。無線周波数信号の受信／送信及び変換のための部分は、主に、無線周波数信号を受信／送信し、無線周波数信号及びベースバンド信号間の変換を実行するように構成されている。部分８２は、主に、ベースバンド処理を実行、ネットワークデバイスを制御等するように構成されている。受信ユニット８１は、受信器、受信機、受信回路等と称される場合もある。送信ユニット８３は、送信器、送信デバイス、送信機、送信回路等と称される場合もある。部分８２は、通常は、ネットワークデバイスの制御センターであり、図２、図４、又は図５におけるネットワークデバイスによって実行される段階を実行するようにネットワークデバイスを制御するように構成され、処理ユニットと通例称される場合がある。詳細に関しては、関連する部分の前述の説明を参照されたい。
【０２０６】
例えば、一実施形態において、送信ユニット８３は、図２に示す実施形態における段階Ｓ１０１及びＳ１０２でのネットワークデバイスの機能を実行するように構成され、受信ユニット８１は、図２に示す実施形態における段階Ｓ１０４でのネットワークデバイスの機能を実行するように構成されている。
【０２０７】
別の例として、別の実施形態において、送信ユニット８３は、図４に示す実施形態における段階Ｓ２０１及びＳ２０４でのネットワークデバイスの機能を実行するように構成され、受信ユニット８１は、図４に示す実施形態における段階Ｓ２０３でのネットワークデバイスの機能を実行するように構成されている。
【０２０８】
別の例として、また別の実施形態において、送信ユニット８３は、図５に示す実施形態における段階Ｓ３０１及びＳ３０３でのネットワークデバイスの機能を実行するように構成され、受信ユニット８１は、図５に示す実施形態における段階Ｓ３０２でのネットワークデバイスの機能を実行するように構成されている。
【０２０９】
別の実施形態において、通信装置が提供される。通信装置は、プロセッサを備える。プロセッサは、前述の方法の実施形態におけるネットワークデバイスによって実行される方法を実装するように構成されている。
【０２１０】
また別の実施形態において、通信装置が提供される。通信装置は、プロセッサ及びメモリを備える。メモリは、コンピュータプログラム又は命令を記憶し、プロセッサがコンピュータプログラム又は命令を実行すると、プロセッサは、前述の方法の実施形態におけるネットワークデバイスによって実行される方法を実装するように構成されている。
【０２１１】
図１３に示すように、部分８２は、１つ又は複数のボードを備えてよい。各ボードは、１つ又は複数のプロセッサ及び１つ又は複数のメモリを備えてよい。プロセッサは、メモリ内のプログラムを読み出して実行し、ベースバンド処理機能を実装して、ネットワークデバイスを制御するように構成されている。複数のボードが存在する場合、ボードは、処理能力を拡張するために相互接続されてよい。任意選択の実装において、代替的に、複数のボードは、１つ又は複数のプロセッサを共有してよく、又は、複数のボードは、１つ又は複数のメモリを共有し、又は、複数のボードは、１つ又は複数のプロセッサを同時に共有する。
【０２１２】
本願の一実施形態は、コンピュータ可読記憶媒体をさらに提供する。コンピュータ可読記憶媒体は、コンピュータプログラム又は命令を記憶し、コンピュータプログラム又は命令が実行されると、前述の実施形態における方法が実装される。
【０２１３】
本願の一実施形態は、前述の実施形態における通信装置を備える通信システムをさらに提供する。
【０２１４】
当業者であれば、説明の便宜及び簡潔さの目的で、前述のシステム、装置、およびユニットの詳細な動作プロセスに関しては、前述の方法の実施形態における対応するプロセスを参照すべきであり、詳細はここでは再度説明しないことを明確に理解し得る。
【０２１５】
本願において提供される実施形態では、開示のシステム、装置、及び方法は、別様に実装されてよいことを理解されたい。例えば、複数のユニットへの区分けは、単に論理的な機能の区分けであり、実際の実装では他の区分けとしてよい。例えば、複数のユニット又は構成要素が組み合わされても、別のシステムに統合されてもよく、又は、一部の機能が無視されても、実行されなくてもよい。表示又は議論された相互の結合又は直接的な結合又は通信接続は、いくつかのインタフェースを使用して実装されてよい。装置又はユニット間の間接的な結合又は通信接続は、電気的、機械的又は他の形態で実装されてよい。
【０２１６】
別個の部分として説明されるユニットは、物理的に分離していてもよく、そうでなくてもよく、複数のユニットとして表示される複数の部品は、物理的ユニットであってもよく、そうでなくてもよく、１箇所に配置されていてもよく、又は、複数のネットワークユニット上で分散していてもよい。これらのユニットのいくつか又は全てが、実施形態の解決手段の目的を達成するために、実際の要件に基づいて選択されてよい。
【０２１７】
前述の実施形態の全て又は一部が、ソフトウェア、ハードウェア、ファームウェア、又はこれらの任意の組み合わせを使用して実装されてよい。ソフトウェアがこれらの実施形態を実装するのに使用される場合、これらの実施形態の全て又は一部はコンピュータプログラム製品の形態で実装されてよい。コンピュータプログラム製品は、１つ又は複数のコンピュータ命令を含む。コンピュータプログラム命令がコンピュータ上でロードされ実行されたとき、本願の実施形態に係る手順又は機能が全て、又は部分的に生成される。コンピュータは、汎用コンピュータ、専用コンピュータ、コンピュータネットワーク、又は他のプログラム可能型装置であってもよい。コンピュータ命令は、コンピュータ可読記憶媒体に記憶されてよく、又は、コンピュータ可読記憶媒体を使用して送信されてよい。コンピュータ命令は、ウェブサイト、コンピュータ、サーバ、又はデータセンターから別のウェブサイト、コンピュータ、サーバ、又はデータセンターに、有線（例えば、同軸ケーブル、光ファイバ、又はデジタル加入者線（ｄｉｇｉｔａｌ  ｓｕｂｓｃｒｉｂｅｒ  ｌｉｎｅ、ＤＳＬ））又は無線（例えば、赤外線、無線、又はマイクロ波）方式で送信されてよい。コンピュータ可読記憶媒体は、コンピュータ又はデータストレージデバイス、例えば、１つ又は複数の使用可能な媒体を統合するサーバ又はデータセンターによりアクセス可能な任意の使用可能な媒体であってよい。使用可能な媒体は、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、又は、フロッピディスク、ハードディスク、磁気テープ、磁気ディスク等の磁気媒体、又は、デジタル多用途ディスク（ｄｉｇｉｔａｌ  ｖｅｒｓａｔｉｌｅ  ｄｉｓｃ、ＤＶＤ）等の光媒体、又は、ソリッドステートドライブ（ｓｏｌｉｄ  ｓｔａｔｅ  ｄｒｉｖｅ、ＳＳＤ）等の半導体媒体としてよい。
（項目１）ネットワークデバイスから物理的アップリンク制御チャネルＰＵＣＣＨリソース構成指示情報を受信する段階を備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信方法。
（項目２）上記ネットワークデバイスからダウンリンク制御情報を受信する段階と、
上記ダウンリンク制御情報に対応するダウンリンクチャネルリソースパラメータ、上記ダウンリンク制御情報が示す物理ダウンリンク共有チャネルの復調参照信号ポート関連パラメータ、上記ダウンリンク制御情報によって有効化されるトランスポートブロックパラメータのうちの１つ又は複数のパラメータに基づいて、上記１つ又は複数のパラメータに関連付けられているＰＵＣＣＨ構成を決定する段階と、
をさらに備える、項目１に記載の方法。
（項目３）上記ネットワークデバイスは１つ又は複数存在する、項目１又は２に記載の方法。
（項目４）物理的アップリンク制御チャネルＰＵＣＣＨリソース構成指示情報を端末デバイスに送信する段階を備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信方法。
（項目５）上記ダウンリンクチャネルリソースパラメータに基づいて、ダウンリンク制御情報を上記端末デバイスに送信する段階をさらに備える、項目４に記載の方法。
（項目６）上記ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む、項目１〜５のいずれか一項に記載の方法。
（項目７）上記ＰＵＣＣＨ構成は、１つ又は複数のＰＵＣＣＨリソース構成を含み、上記１つ又は複数のＰＵＣＣＨリソース構成は、上記１つ又は複数のパラメータにそれぞれ関連付けられる、項目１〜６のいずれか一項に記載の方法。
（項目８）上記ＰＵＣＣＨ構成は、１つ又は複数のＰＵＣＣＨリソースグループを含み、各ＰＵＣＣＨリソースグループは、１つ又は複数のＰＵＣＣＨリソースを含み、上記１つ又は複数のＰＵＣＣＨリソースグループは、上記１つ又は複数のパラメータにそれぞれ関連付けられる、項目１〜６のいずれか一項に記載の方法。
（項目９）上記ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、上記１つ又は複数のＰＵＣＣＨリソースセットに含まれている上記１つ又は複数のＰＵＣＣＨリソースグループは、上記１つ又は複数のパラメータにそれぞれ関連付けられる、項目１〜６のいずれか一項に記載の方法。
（項目１０）上記ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、上記１つ又は複数のＰＵＣＣＨリソースセットグループは、上記１つ又は複数のパラメータにそれぞれ関連付けられる、項目１〜６のいずれか一項に記載の方法。
（項目１１）ネットワークデバイスから物理的アップリンク制御チャネルＰＵＣＣＨリソース構成指示情報を受信するように構成されている送受信ユニットを備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
（項目１２）上記送受信ユニットは、上記ネットワークデバイスからダウンリンク制御情報を受信するようにさらに構成され、
上記通信装置は、上記ダウンリンク制御情報に対応するダウンリンクチャネルリソースパラメータ、上記ダウンリンク制御情報が示す物理ダウンリンク共有チャネルの復調参照信号ポート関連パラメータ、及び上記ダウンリンク制御情報によって有効化されるトランスポートブロックパラメータのうちの１つ又は複数のパラメータに基づいて、上記１つ又は複数のパラメータに関連付けられているＰＵＣＣＨ構成を決定するように構成されている処理ユニットをさらに備える、項目１１に記載の通信装置。
（項目１３）上記ネットワークデバイスは１つ又は複数存在する、項目１１又は１２に記載の通信装置。
（項目１４）端末デバイスに物理的アップリンク制御チャネルＰＵＣＣＨリソース構成指示情報を送信するように構成されている送受信ユニットを備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
（項目１５）上記送受信ユニットは、上記ダウンリンクチャネルリソースパラメータに基づいて、上記端末デバイスにダウンリンク制御情報を送信するようにさらに構成されている、項目１４に記載の通信装置。
（項目１６）上記ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む、項目１１〜１５のいずれか一項に記載の通信装置。
（項目１７）上記ＰＵＣＣＨ構成は、１つ又は複数のＰＵＣＣＨリソース構成を含み、上記１つ又は複数のＰＵＣＣＨリソース構成は、上記１つ又は複数のパラメータにそれぞれ関連付けられる、項目１１〜１６のいずれか一項に記載の通信装置。
（項目１８）上記ＰＵＣＣＨ構成は、１つ又は複数のＰＵＣＣＨリソースグループを含み、各ＰＵＣＣＨリソースグループは、１つ又は複数のＰＵＣＣＨリソースを含み、上記１つ又は複数のＰＵＣＣＨリソースグループは、上記１つ又は複数のパラメータにそれぞれ関連付けられる、項目１１〜１６のいずれか一項に記載の通信装置。
（項目１９）上記ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、上記１つ又は複数のＰＵＣＣＨリソースセットに含まれている上記１つ又は複数のＰＵＣＣＨリソースグループは、上記１つ又は複数のパラメータにそれぞれ関連付けられる、項目１１〜１６のいずれか一項に記載の通信装置。
（項目２０）上記ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、上記１つ又は複数のＰＵＣＣＨリソースセットグループは、上記１つ又は複数のパラメータにそれぞれ関連付けられる、項目１１〜１６のいずれか一項に記載の通信装置。
（項目２１）ネットワークデバイスから物理的アップリンク制御チャネルＰＵＣＣＨリソース構成指示情報を受信するように構成されている送受信器を備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
（項目２２）上記送受信器は、上記ネットワークデバイスからダウンリンク制御情報を受信するようにさらに構成され、
上記通信装置は、上記ダウンリンク制御情報に対応するダウンリンクチャネルリソースパラメータ、上記ダウンリンク制御情報が示す物理ダウンリンク共有チャネルの復調参照信号ポート関連パラメータ、及び上記ダウンリンク制御情報によって有効化されるトランスポートブロックパラメータのうちの１つ又は複数のパラメータに基づいて、上記１つ又は複数のパラメータに関連付けられているＰＵＣＣＨ構成を決定するように構成されているプロセッサをさらに備える、項目２１に記載の通信装置。
（項目２３）上記ネットワークデバイスは１つ又は複数存在する、項目２１又は２２に記載の通信装置。
（項目２４）端末デバイスに物理的アップリンク制御チャネルＰＵＣＣＨリソース構成指示情報を送信するように構成されている送受信器を備え、上記ＰＵＣＣＨリソース構成指示情報は、ＰＵＣＣＨ構成を示すのに使用され、上記ＰＵＣＣＨ構成は、以下のパラメータ：ダウンリンクチャネルリソースパラメータ、復調参照信号ポート関連パラメータ、及びトランスポートブロックパラメータのうちの１つ又は複数に関連付けられる、通信装置。
（項目２５）上記送受信器は、上記ダウンリンクチャネルリソースパラメータに基づいて、上記端末デバイスにダウンリンク制御情報を送信するようにさらに構成されている、項目２４に記載の通信装置。
（項目２６）上記ダウンリンクチャネルリソースパラメータは、以下のリソースパラメータ：物理ダウンリンク制御チャネルリソース構成、制御リソースセットグループ、探索空間グループ、及び物理ダウンリンク共有チャネルリソース構成のうちの１つ又は複数を含む、項目２１〜２５のいずれか一項に記載の通信装置。
（項目２７）上記ＰＵＣＣＨ構成は、１つ又は複数のＰＵＣＣＨリソース構成を含み、上記１つ又は複数のＰＵＣＣＨリソース構成は、上記１つ又は複数のパラメータにそれぞれ関連付けられる、項目２１〜２６のいずれか一項に記載の通信装置。
（項目２８）上記ＰＵＣＣＨ構成は、１つ又は複数のＰＵＣＣＨリソースグループを含み、各ＰＵＣＣＨリソースグループは、１つ又は複数のＰＵＣＣＨリソースを含み、上記１つ又は複数のＰＵＣＣＨリソースグループは、上記１つ又は複数のパラメータにそれぞれ関連付けられる、項目２１〜２６のいずれか一項に記載の通信装置。
（項目２９）上記ＰＵＣＣＨ構成は、１つ又は複数のＰＵＣＣＨリソースセットを含み、各ＰＵＣＣＨリソースセットは、１つ又は複数のＰＵＣＣＨリソースグループを含み、各ＰＵＣＣＨリソースグループは、１つ又は複数のＰＵＣＣＨリソースを含み、上記１つ又は複数のＰＵＣＣＨリソースセットに含まれている上記１つ又は複数のＰＵＣＣＨリソースグループは、上記１つ又は複数のパラメータにそれぞれ関連付けられる、項目２１〜２６のいずれか一項に記載の通信装置。
（項目３０）上記ＰＵＣＣＨ構成は、１つ又は複数のＰＵＣＣＨリソースセットグループを含み、各ＰＵＣＣＨリソースセットグループは、１つ又は複数のＰＵＣＣＨリソースセットを含み、各ＰＵＣＣＨリソースセットは、１つ又は複数のＰＵＣＣＨリソースを含み、上記１つ又は複数のＰＵＣＣＨリソースセットグループは、上記１つ又は複数のパラメータにそれぞれ関連付けられる、項目２１〜２６のいずれか一項に記載の通信装置。
（項目３１）プロセッサを備える通信装置であって、上記プロセッサは、上記装置が項目１〜１０のいずれか一項に記載の方法を実装するように、コンピュータプログラムを実行するように構成されている、通信装置。
（項目３２）プロセッサ及びメモリを備える通信装置であって、上記メモリは、コンピュータプログラム又は命令を記憶し、上記プロセッサが上記コンピュータプログラム又は上記命令を実行すると、上記装置は、項目１〜１０のいずれか一項に記載の方法を実装するように有効化される、通信装置。
（項目３３）コンピュータプログラム又は命令を記憶するコンピュータ可読記憶媒体であって、上記コンピュータプログラム又は上記命令が実行されると、項目１〜１０のいずれか一項に記載の方法が実装される、コンピュータ可読記憶媒体。
（項目３４）コンピュータプログラムを備えるコンピュータプログラム製品であって、上記コンピュータプログラムがコンピュータ上で実行されると、上記コンピュータは、項目１〜１０のいずれか一項に記載の方法を実行するように有効化される、コンピュータプログラム製品。
（項目３５）項目１〜１０のいずれか一項に記載の方法を実装するように構成されている、通信装置。
【図１】
2021533616.tif 000003
【図２】
2021533616.tif 000004
【図３ａ】
2021533616.tif 000005
【図３ｂ】
2021533616.tif 000006
【図３ｃ】
2021533616.tif 000007
【図３ｄ】
2021533616.tif 000008
【図４】
2021533616.tif 000009
【図５】
2021533616.tif 000010
【図６】
2021533616.tif 000011
【図７】
2021533616.tif 000012
【図８】
2021533616.tif 000013
【図９】
2021533616.tif 000014
【図１０】
2021533616.tif 000015
【図１１】
2021533616.tif 000016
【図１２】
2021533616.tif 000017
【図１３】
2021533616.tif 000018
【国際調査報告】
2021533616.tif 000019
2021533616.tif 000020
2021533616.tif 000021
2021533616.tif 000022